(57)【特許請求の範囲】
【請求項１】
一般式（２）
0003855472.tif 000005
（式中、 Ａはケイ素原子または炭素原子を示し、Ｃｐはシクロペンタジエン形アニオン骨格を有する基を示し、Ｘはハロゲン原子または置換基を有していてもよいアルコキシ基を示し、Ｒ1 、Ｒ2 、Ｒ3 、Ｒ4 はそれぞれ独立に水素原子、ハロゲン原子、置換基を有していてもよい炭素原子数１〜２０のアルキル基、置換基を有していてもよい炭素原子数７〜２０のアラルキル基、置換基を有していてもよい炭素原子数６〜２０のアリール基、置換基を有していてもよい炭素原子数１〜２０の炭化水素置換シリル基、置換基を有していてもよい炭素原子数１〜２０のアルコキシ基、置換基を有していてもよい炭素原子数７〜２０のアラルキルオキシ基、置換基を有していてもよい炭素原子数６〜２０のアリールオキシ基または置換基を有していてもよい炭素原子数２〜２０の２置換アミノ基を示し、Ｒ5 、Ｒ6はそれぞれ独立に水素原子、置換基を有していてもよい炭素原子数１〜２０のアルキル基、置換基を有していてもよい炭素原子数７〜２０のアラルキル基、置換基を有していてもよい炭素原子数６〜２０のアリール基、置換基を有していてもよい炭素原子数１〜２０の炭化水素置換シリル基、置換基を有していてもよい炭素原子数１〜２０のアルコキシ基、置換基を有していてもよい炭素原子数７〜２０のアラルキルオキシ基、置換基を有していてもよい炭素原子数６〜２０のアリールオキシ基または置換基を有していてもよい炭素原子数２〜２０の２置換アミノ基を示す。また、Ｒ1、Ｒ2、Ｒ3、Ｒ4、Ｒ5、Ｒ6は任意に結合して環を形成していてもよい。）
で示されるチタン錯体と水とを反応させることを特徴とする一般式（１）
0003855472.tif 000006
（式中、Ａ、Ｃｐ、Ｘ、Ｒ1、Ｒ2、Ｒ3、Ｒ4、Ｒ5およびＲ6は、前記と同じ意味を表わす。）
で示されるμ−オキソチタン錯体の製造方法。
【請求項２】
一般式（２）で示されるチタン錯体をアミン化合物の共存下、水と反応させることを特徴とする請求項１に記載のμ−オキソチタン錯体の製造方法。
【請求項３】
Ｃｐがη５−シクロペンタジエニル、置換されていてもよい炭素原子数１〜２０のアルキル基、置換されていてもよい炭素原子数７〜２０のアラルキル基、置換されていてもよい炭素原子数６〜２０のアリール基もしくは置換されていてもよい炭素原子数１〜２０の置換シリル基を有する置換η５−シクロペンタジエニル、インデニル、テトラヒドロインデニル、フルオレニルまたはオクタヒドロフルオレニルである請求項１または２に記載のμ−オキソチタン錯体の製造方法。
【請求項４】
Ｒ1、Ｒ2、Ｒ3、Ｒ4、Ｒ5、Ｒ6が水素または炭素数１〜５のアルキル基である請求項１または２に記載のμ−オキソチタン錯体の製造方法。
【発明の詳細な説明】
【０００１】
【発明の属する技術分野】
本発明は、ルイス酸触媒、エステル交換反応触媒として有望な、新規なμ−オキソチタン錯体の製造方法に関する。
【０００２】
【従来の技術】
本発明のμ−オキソチタン錯体は本発明者らによって見出された新規化合物であり、その製造方法は知られていない。
【０００３】
【発明が解決しようとする課題】
本発明は、下記一般式（１）で示されるμ−オキソチタン錯体の製造方法を提供しようとするものである。
【０００４】
【課題を解決するための手段】
すなわち、本発明は、一般式（２）
0003855472.tif 000002
（式中、 Ａはケイ素原子または炭素原子を示し、Ｃｐはシクロペンタジエン形アニオン骨格を有する基を示し、Ｘはハロゲン原子または置換基を有していてもよいアルコキシ基を示し、Ｒ1 、Ｒ2 、Ｒ3 、Ｒ4 はそれぞれ独立に水素原子、ハロゲン原子、置換基を有していてもよい炭素原子数１〜２０のアルキル基、置換基を有していてもよい炭素原子数７〜２０のアラルキル基、置換基を有していてもよい炭素原子数６〜２０のアリール基、置換基を有していてもよい炭素原子数１〜２０の炭化水素置換シリル基、置換基を有していてもよい炭素原子数１〜２０のアルコキシ基、置換基を有していてもよい炭素原子数７〜２０のアラルキルオキシ基、置換基を有していてもよい炭素原子数６〜２０のアリールオキシ基または置換基を有していてもよい炭素原子数２〜２０の２置換アミノ基を示し、Ｒ5 、Ｒ6はそれぞれ独立に水素原子、置換基を有していてもよい炭素原子数１〜２０のアルキル基、置換基を有していてもよい炭素原子数７〜２０のアラルキル基、置換基を有していてもよい炭素原子数６〜２０のアリール基、置換基を有していてもよい炭素原子数１〜２０の炭化水素置換シリル基、置換基を有していてもよい炭素原子数１〜２０のアルコキシ基、置換基を有していてもよい炭素原子数７〜２０のアラルキルオキシ基、置換基を有していてもよい炭素原子数６〜２０のアリールオキシ基または置換基を有していてもよい炭素原子数２〜２０の２置換アミノ基を示す。また、Ｒ1、Ｒ2、Ｒ3、Ｒ4、Ｒ5、Ｒ6は任意に結合して環を形成していてもよい。）
で示されるチタン錯体と水とを反応させることを特徴とする一般式（１）
0003855472.tif 000003
（式中、Ａ、Ｃｐ、Ｘ、Ｒ1、Ｒ2、Ｒ3、Ｒ4、Ｒ5およびＲ6は、前記と同じ意味を表わす。）
で示されるμ−オキソチタン錯体の製造方法を提供するものである。
【０００５】
【発明の実施の形態】
以下、本発明について詳細に説明する。
本発明のμ−オキソチタン錯体（１）において、置換基Ｃｐとして示されるシクロペンタジエン形アニオン骨格を有する基としては、例えば、η5 −シクロペンタジエニル基、η5 −メチルシクロペンタジエニル基、η5 −ジメチルシクロペンタジエニル基、η5 −トリメチルシクロペンタジエニル基、η5 −テトラメチルシクロペンタジエニル基、η5 −エチルシクロペンタジエニル基、η5 −ｎ−プロピルシクロペンタジエニル基、η5 −イソプロピルシクロペンタジエニル基、η5 −ｎ−ブチルシクロペンタジエニル基、η5 −ｓｅｃ−ブチルシクロペンタジエニル基、η5 −ｔｅｒｔ−ブチルシクロペンタジエニル基、η5 −ｎ−ペンチルシクロペンタジエニル基、η5 −ネオペンチルシクロペンタジエニル基、η5 −ｎ−ヘキシルシクロペンタジエニル基、η5 −ｎ−オクチルシクロペンタジエニル基、η5 −フェニルシクロペンタジエニル基、η5 −ナフチルシクロペンタジエニル基、η5 −トリメチルシリルシクロペンタジエニル基、η5 −トリエチルシリルシクロペンタジエニル基、η5 −ｔｅｒｔ−ブチルジメチルシリルシクロペンタジエニル基などの（置換）シクロペンタジエニル基
【０００６】
η5 −インデニル基、η5 −メチルインデニル基、η5 −ジメチルインデニル基、η5 −エチルインデニル基、η5 −ｎ−プロピルインデニル基、η5 −イソプロピルインデニル基、η5 −ｎ−ブチルインデニル基、η5 −ｓｅｃ−ブチルインデニル基、η5 −ｔｅｒｔ−ブチルインデニル基、η5 −ｎ−ペンチルインデニル基、η5 −ネオペンチルインデニル基、η5 −ｎ−ヘキシルインデニル基、η5 −ｎ−オクチルインデニル基、η5 −ｎ−デシルインデニル基、η5 −フェニルインデニル基、η5 −メチルフェニルインデニル基、η5 −ナフチルインデニル基、η5 −トリメチルシリルインデニル基、η5 −トリエチルシリルインデニル基、η5 −ｔｅｒｔ−ブチルジメチルシリルインデニル基、η5 −テトラヒドロインデニル基などの（置換）インデニル基
【０００７】
η5 −フルオレニル基、η5 −メチルフルオレニル基、η5 −エチルフルオレニル基、η5 −ｎ−プロピルフルオレニル基、η5 −イソプロピルフルオレニル基、η5 −ｎ−ブチルフルオレニル基、η5 −ｓｅｃ−ブチルフルオレニル基、η5 −ｔｅｒｔ−ブチルフルオレニル基、η5 −ｎ−ペンチルフルオレニル基、η5 −ネオペンチルフルオレニル基、η5 −ｎ−ヘキシルフルオレニル基、η5 −ｎ−オクチルフルオレニル基、η5 −ｎ−デシルフルオレニル基、η5 −ｎ−ドデシルフルオレニル基、η5 −フェニルフルオレニル基、η5 −ナフチルフルオレニル基、η5 −トリメチルシリルフルオレニル基、η5 −トリエチルシリルフルオレニル基、η5 −ｔｅｒｔ−ブチルジメチルシリルフルオレニル基、η5 −オクタヒドロフルオレニル基などの（置換）フルオレニル基が挙げられ、好ましくはη5 −シクロペンタジエニル基、η5 −メチルシクロペンタジエニル基、η5 −ｔｅｒｔ−ブチルシクロペンタジエニル基、η5 −テトラメチルシクロペンタジエニル基、η5 −インデニル基、η5 −テトラヒドロインデニル基、η5 −フルオレニル基、η5 −オクタヒドロフルオレニル基などが挙げられる。
【０００８】
置換基Ｘ、Ｒ1、Ｒ2、Ｒ3、Ｒ4におけるハロゲン原子としてはフッ素原子、塩素原子、臭素原子、ヨウ素原子などが例示される。
【０００９】
置換基Ｘにおける置換されていてもよいアルコキシ基としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、アミルオキシ基 、ｎ−ヘキソキシ基、ｎ−オクトキシ基、ｎ−デシルオキシ基などの脂肪族アルコキシ基
【００１０】
メトキシエトキシ基、エトキシエトキシ基、ｎ−プロポキシエトキシ基、イソプロポキシエトキシ基、フェノキシエトキシ基などのアルコキシアルコキシ基
【００１１】
ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（３，４，５−トリメチルフェニル）メトキシ基、（２，４，６−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、ナフチルメトキシ基、アントラセニルメトキシ基、１−フェニルエトキシ基などのアラルキルオキシ基およびこれらがフッ素、塩素、臭素原子などのハロゲンで置換されたハロアラルキルオキシ基、および前記ハロアラルキルオキシ基においてハロゲン原子をメトキシ基、エトキシ基、ｎ−プロポキシ基、イソプロポキシ基、ｎ−ブトキシ基、ｓｅｃ−ブトキシ基、ｔｅｒｔ−ブトキシ基などに任意に変更したアルコキシアラルキルオキシ基等が挙げられ、好ましくは、メトキシ基、エトキシ基、ｎ−プロポキシ基、イソプロポキシ基、ベンジルオキシ基、メトキシエトキシ基が挙げられる。
【００１２】
置換基Ｒ1 、Ｒ2 、Ｒ3 、Ｒ4 、Ｒ5 、Ｒ6 における炭素原子数１〜２０のアルキル基としては、例えばメチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、ｎ−エイコシル基などが挙げられ、好ましくはメチル基、エチル基、イソプロピル基、ｔｅｒｔ−ブチル基、アミル基等が挙げられる。
【００１３】
これらのアルキル基はいずれも置換基を有していてもよく、かかる置換基としては、ハロゲン原子、ヒドロキシ基、シアノ基、ニトロ基、アミノ基、アミド基、エーテル残基、エステル残基等が挙げられる。例えばハロゲン原子で置換された炭素原子数１〜２０のアルキル基としては、例えばハロメチル基、ジハロメチル基、トリハロメチル基、ハロエチル基、ジハロエチル基、トリハロエチル基、テトラハロエチル基、ペンタハロエチル基、パーハロプロピル基、パーハロブチル基、パーハロペンチル基、パーハロヘキシル基、パーハロオクチル基、パーハロドデシル基、パーハロペンタデシル基、パーハロエイコシル基などが挙げられる。
【００１４】
置換基Ｒ1 、Ｒ2 、Ｒ3 、Ｒ4 、Ｒ5 、Ｒ6 における炭素原子数７〜２０のアラルキル基としては、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、（ｎ−テトラデシルフェニル）メチル基、ナフチルメチル基、アントラセニルメチル基などが挙げら、好ましくはベンジル基が挙げられる。
これらのアラルキル基はいずれも置換基を有していてもよく、かかる置換基としては、ハロゲン原子、ヒドロキシ基、シアノ基、ニトロ基、アミノ基、アミド基、エーテル残基、エステル残基等が挙げられる。
【００１５】
置換基Ｒ1 、Ｒ2 、Ｒ3 、Ｒ4 、Ｒ5 、Ｒ6 における炭素原子数６〜２０のアリール基としては、例えばフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などが挙げられ、好ましはフェニル基が挙げられる。
これらのアリール基はいずれも置換基を有していてもよく、かかる置換基としては、ハロゲン原子、ヒドロキシ基、シアノ基、ニトロ基、アミノ基、アミド基、エーテル残基、エステル残基等が挙げられる。
【００１６】
置換基Ｒ1 、Ｒ2 、Ｒ3 、Ｒ4 、Ｒ5 、Ｒ6 における置換シリル基とは炭化水素基で置換されたシリル基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数１〜１０のアルキル基、フェニル基などのアリール基などが挙げられる。かかる炭素原子数１〜２０の炭化水素置換シリル基としては、例えばメチルシリル基、エチルシリル基、フェニルシリル基などの炭素原子数１〜２０の１置換シリル基、ジメチルシリル基、ジエチルシリル基、ジフェニルシリル基などの炭素原子数２〜２０の２置換シリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基などの炭素原子数３〜２０の３置換シリル基などが挙げられ、好ましくはトリメチルシリル基、ｔｅｒｔ−ブチルジメチルシリル基、トリフェニルシリル基が挙げられる。
これらの置換シリル基はいずれもその炭化水素基が置換基を有していてもよく、かかる置換基としては、ハロゲン原子、ヒドロキシ基、シアノ基、ニトロ基、アミノ基、アミド基、エーテル残基、エステル残基等が挙げられる。
【００１７】
置換基Ｒ1 、Ｒ2 、Ｒ3 、Ｒ4 、Ｒ5 、Ｒ6 における炭素原子数１〜２０のアルコキシ基としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基などが挙げられ、好ましくはメトキシ基、エトキシ基、ｔｅｒｔ−ブトキシ基が挙げられる。
これらのアルコキシ基はいずれも置換基を有していてもよく、かかる置換基としては、ハロゲン原子、ヒドロキシ基、シアノ基、ニトロ基、アミノ基、アミド基、エーテル残基、エステル残基等が挙げられる。
【００１８】
置換基Ｒ1 、Ｒ2 、Ｒ3 、Ｒ4 、Ｒ5 、Ｒ6 における炭素原子数７〜２０のアラルキルオキシ基としては、例えばベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基などが挙げられ、好ましくはベンジルオキシ基が挙げられる。
これらのアラルキルオキシ基はいずれも置換基を有していてもよく、かかる置換基としては、ハロゲン原子、ヒドロキシ基、シアノ基、ニトロ基、アミノ基、アミド基、エーテル残基、エステル残基等が挙げられる。
【００１９】
置換基Ｒ1 、Ｒ2 、Ｒ3 、Ｒ4 、Ｒ5 、Ｒ6 におけるアリールオキシ基としては、例えばフェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基などの炭素数６〜２０のアリールオキシ基などが挙げられる。
これらのアリールオキシ基はいずれも置換基を有していてもよく、かかる置換基としては、ハロゲン原子、ヒドロキシ基、シアノ基、ニトロ基、アミノ基、アミド基、エーテル残基、エステル残基等が挙げられる。
【００２０】
置換基Ｒ1 、Ｒ2 、Ｒ3 、Ｒ4 、Ｒ5 、Ｒ6 における炭素原子数２〜２０の２置換アミノ基とは２つの炭化水素基で置換されたアミノ基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数２〜２０のアルキル基、フェニル基などのアリール基などが挙げられる。かかる炭素原子数２〜２０の２置換アミノ基としては、例えばジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔｅｒｔ−ブチルジメチルシリルアミノ基などが挙げられ、好ましくはジメチルアミノ基、 ジエチルアミノ基が挙げられる。これらの２置換アミノ基はいずれも置換基を有していてもよく、かかる置換基としては、ハロゲン原子、ヒドロキシ基、シアノ基、ニトロ基、アミノ基、アミド基、エーテル残基、エステル残基等が挙げられる。
【００２１】
また、置換基Ｒ1 、Ｒ2 、Ｒ3 、Ｒ4 、Ｒ5 、Ｒ6は任意に結合して環を形成していてもよい。
【００２２】
本発明のμ−オキソチタン錯体（１）としては、 例えば、Ａが炭素原子の場合、
μ-オキソビス{（η５−シクロペンタジエニル）（２−フェノキシ）メタンチタニウムクロライド}、μ-オキソビス{（η５−シクロペンタジエニル）（３，５−ジメチル−２−フェノキシ）メタンチタニウムクロライド}、μ-オキソビス{（η５−シクロペンタジエニル）（３−ｔｅｒｔ−ブチル−２−フェノキシ）メタンチタニウムクロライド}、μ-オキソビス{（η５−シクロペンタジエニル）（３−ｔｅｒｔ−ブチル−５−メチル−２−フェノキシ）メタンチタニウムクロライド}、μ-オキソビス{（η５−シクロペンタジエニル）（３−フェニル−２−フェノキシ）メタンチタニウムクロライド}、μ-オキソビス{（η５−シクロペンタジエニル）（３−トリメチルシリル−５−メチル−２−フェノキシ）メタンチタニウムクロライド}、μ-オキソビス{（η５−シクロペンタジエニル）（３−ｔｅｒｔ−ブチルジメチルシリル−５−メチル−２−フェノキシ）メタンチタニウムクロライド}、μ-オキソビス{（η５−シクロペンタジエニル）（３−ｔｅｒｔ−ブチル−５−メトキシ−２−フェノキシ）メタンチタニウムクロライド}、μ-オキソビス{（η５−シクロペンタジエニル）（３−ｔｅｒｔ−ブチル−５−クロロ−２−フェノキシ）メタンチタニウムクロライド}
【００２３】
μ-オキソビス{（η５−シクロペンタジエニル）（２−フェノキシ）ジメチルメタンチタニウムクロライド}、μ-オキソビス{（η５−シクロペンタジエニル）（３，５−ジメチル−２−フェノキシ）ジメチルメタンチタニウムクロライド}、μ-オキソビス{（η５−シクロペンタジエニル）（３−ｔｅｒｔ−ブチル−２−フェノキシ）ジメチルメタンチタニウムクロライド}、μ-オキソビス{（η５−シクロペンタジエニル）（３−ｔｅｒｔ−ブチル−５−メチル−２−フェノキシ）ジメチルメタンチタニウムクロライド}、μ-オキソビス{（η５−シクロペンタジエニル）（３−フェニル−２−フェノキシ）ジメチルメタンチタニウムクロライド}、μ-オキソビス{（η５−シクロペンタジエニル）（３−トリメチルシリル−５−メチル−２−フェノキシ）ジメチルメタンチタニウムクロライド}、μ-オキソビス{（η５−シクロペンタジエニル）（３−ｔｅｒｔ−ブチルジメチルシリル−５−メチル−２−フェノキシ）ジメチルメタンチタニウムクロライド}、μ-オキソビス{（η５−シクロペンタジエニル）（３−ｔｅｒｔ−ブチル−５−メトキシ−２−フェノキシ）ジメチルメタンチタニウムクロライド}、μ-オキソビス{（η５−シクロペンタジエニル）（３−ｔｅｒｔ−ブチル−５−クロロ−２−フェノキシ）ジメチルメタンチタニウムクロライド}
【００２４】
μ-オキソビス{（η５−シクロペンタジエニル）（２−フェノキシ）ジフェニルメタンチタニウムクロライド}、μ-オキソビス{（η５−シクロペンタジエニル）（３，５−ジメチル−２−フェノキシ）ジフェニルメタンチタニウムクロライド}、μ-オキソビス{（η５−シクロペンタジエニル）（３−ｔｅｒｔ−ブチル−２−フェノキシ）ジフェニルメタンチタニウムクロライド}、μ-オキソビス{（η５−シクロペンタジエニル）（３−ｔｅｒｔ−ブチル−５−メチル−２−フェノキシ）ジフェニルメタンチタニウムクロライド}、μ-オキソビス{（η５−シクロペンタジエニル）（３−フェニル−２−フェノキシ）ジフェニルメタンチタニウムクロライド}、μ-オキソビス{（η５−シクロペンタジエニル）（３−トリメチルシリル−５−メチル−２−フェノキシ）ジフェニルメタンチタニウムクロライド}、μ-オキソビス{（η５−シクロペンタジエニル）（３−ｔｅｒｔ−ブチルジメチルシリル−５−メチル−２−フェノキシ）ジフェニルメタンチタニウムクロライド}、μ-オキソビス{（η５−シクロペンタジエニル）（３−ｔｅｒｔ−ブチル−５−メトキシ−２−フェノキシ）ジフェニルメタンチタニウムクロライド}、μ-オキソビス{（η５−シクロペンタジエニル）（３−ｔｅｒｔ−ブチル−５−クロロ−２−フェノキシ）ジフェニルメタンチタニウムクロライド}
【００２５】
μ-オキソビス{（η５−メチルシクロペンタジエニル）（２−フェノキシ）ジメチルメタンチタニウムクロライド}、μ-オキソビス{（η５−メチルシクロペンタジエニル）（３，５−ジメチル−２−フェノキシ）ジメチルメタンチタニウムクロライド}、μ-オキソビス{（η５−メチルシクロペンタジエニル）（３−ｔｅｒｔ−ブチル−２−フェノキシ）ジメチルメタンチタニウムクロライド}、μ-オキソビス{（η５−メチルシクロペンタジエニル）（３−ｔｅｒｔ−ブチル−５−メチル−２−フェノキシ）ジメチルメタンチタニウムクロライド}、μ-オキソビス{（η５−メチルシクロペンタジエニル）（３−フェニル−２−フェノキシ）ジメチルメタンチタニウムクロライド}、μ-オキソビス{（η５−メチルシクロペンタジエニル）（３−トリメチルシリル−５−メチル−２−フェノキシ）ジメチルメタンチタニウムクロライド}、μ-オキソビス{（η５−メチルシクロペンタジエニル）（３−ｔｅｒｔ−ブチルジメチルシリル−５−メチル−２−フェノキシ）ジメチルメタンチタニウムクロライド}、μ-オキソビス{（η５−メチルシクロペンタジエニル）（３−ｔｅｒｔ−ブチル−５−メトキシ−２−フェノキシ）ジメチルメタンチタニウムクロライド}、μ-オキソビス{（η５−メチルシクロペンタジエニル）（３−ｔｅｒｔ−ブチル−５−クロロ−２−フェノキシ）ジメチルメタンチタニウムクロライド}
【００２６】
μ-オキソビス{（η５−ｔｅｒｔ−ブチルシクロペンタジエニル）（２−フェノキシ）ジメチルメタンチタニウムクロライド}、μ-オキソビス{（ η５−ｔｅｒｔ−ブチルシクロペンタジエニル）（３，５−ジメチル−２−フェノキシ）ジメチルメタンチタニウムクロライド}、μ-オキソビス{（ η５−ｔｅｒｔ−ブチルシクロペンタジエニル）（３−ｔｅｒｔ−ブチル−２−フェノキシ）ジメチルメタンチタニウムクロライド}、μ-オキソビス{（ η５−ｔｅｒｔ−ブチルシクロペンタジエニル）（３−ｔｅｒｔ−ブチル−５−メチル−２−フェノキシ）ジメチルメタンチタニウムクロライド}、μ-オキソビス{（ η５−ｔｅｒｔ−ブチルシクロペンタジエニル）（３−フェニル−２−フェノキシ）ジメチルメタンチタニウムクロライド}、μ-オキソビス{（ η５−ｔｅｒｔ−ブチルシクロペンタジエニル）（３−トリメチルシリル−５−メチル−２−フェノキシ）ジメチルメタンチタニウムクロライド}、μ-オキソビス{（ η５−ｔｅｒｔ−ブチルシクロペンタジエニル）（３−ｔｅｒｔ−ブチルジメチルシリル−５−メチル−２−フェノキシ）ジメチルメタンチタニウムクロライド}、μ-オキソビス{（ η５−ｔｅｒｔ−ブチルシクロペンタジエニル）（３−ｔｅｒｔ−ブチル−５−メトキシ−２−フェノキシ）ジメチルメタンチタニウムクロライド}、μ-オキソビス{（ η５−ｔｅｒｔ−ブチルシクロペンタジエニル）（３−ｔｅｒｔ−ブチル−５−クロロ−２−フェノキシ）ジメチルメタンチタニウムクロライド}
【００２７】
μ-オキソビス{（η５−２，３，４，５−テトラメチルシクロペンタジエニル）（２−フェノキシ）ジメチルメタンチタニウムクロライド}、μ-オキソビス{（η５−２，３，４，５−テトラメチルシクロペンタジエニル）（３，５−ジメチル−２−フェノキシ）ジメチルメタンチタニウムクロライド}、μ-オキソビス{（η５−２，３，４，５−テトラメチルシクロペンタジエニル）（３−ｔｅｒｔ−ブチル−２−フェノキシ）ジメチルメタンチタニウムクロライド}、μ-オキソビス{（η５−２，３，４，５−テトラメチルシクロペンタジエニル）（３−ｔｅｒｔ−ブチル−５−メチル−２−フェノキシ）ジメチルメタンチタニウムクロライド}、μ-オキソビス{（η５−２，３，４，５−テトラメチルシクロペンタジエニル）（３−フェニル−２−フェノキシ）ジメチルメタンチタニウムクロライド}、μ-オキソビス{（η５−２，３，４，５−テトラメチルシクロペンタジエニル）（３−トリメチルシリル−５−メチル−２−フェノキシ）ジメチルメタンチタニウムクロライド}、μ-オキソビス{（η５−２，３，４，５−テトラメチルシクロペンタジエニル）（３−ｔｅｒｔ−ブチルジメチルシリル−５−メチル−２−フェノキシ）ジメチルメタンチタニウムクロライド}、μ-オキソビス{（η５−２，３，４，５−テトラメチルシクロペンタジエニル）（３−ｔｅｒｔ−ブチル−５−メトキシ−２−フェノキシ）ジメチルメタンチタニウムクロライド}、μ-オキソビス{（η５−２，３，４，５−テトラメチルシクロペンタジエニル）（３−ｔｅｒｔ−ブチル−５−クロロ−２−フェノキシ）ジメチルメタンチタニウムクロライド}
【００２８】
μ-オキソビス{（η５−トリメチルシリルシクロペンタジエニル）（２−フェノキシ）ジメチルメタンチタニウムクロライド}、μ-オキソビス{（η５−トリメチルシリルシクロペンタジエニル）（３，５−ジメチル−２−フェノキシ）ジメチルメタンチタニウムクロライド}、μ-オキソビス{（η５−トリメチルシリルシクロペンタジエニル）（３−ｔｅｒｔ−ブチル−２−フェノキシ）ジメチルメタンチタニウムクロライド}、μ-オキソビス{（η５−トリメチルシリルシクロペンタジエニル）（３−ｔｅｒｔ−ブチル−５−メチル−２−フェノキシ）ジメチルメタンチタニウムクロライド}、μ-オキソビス{（η５−トリメチルシリルシクロペンタジエニル）（３−フェニル−２−フェノキシ）ジメチルメタンチタニウムクロライド}、μ-オキソビス{（η５−トリメチルシリルシクロペンタジエニル）（３−トリメチルシリル−５−メチル−２−フェノキシ）ジメチルメタンチタニウムクロライド}、μ-オキソビス{（η５−トリメチルシリルシクロペンタジエニル）（３−ｔｅｒｔ−ブチルジメチルシリル−５−メチル−２−フェノキシ）ジメチルメタンチタニウムクロライド}、μ-オキソビス{（η５−トリメチルシリルシクロペンタジエニル）（３−ｔｅｒｔ−ブチル−５−メトキシ−２−フェノキシ）ジメチルメタンチタニウムクロライド}、μ-オキソビス{（η５−トリメチルシリルシクロペンタジエニル）（３−ｔｅｒｔ−ブチル−５−クロロ−２−フェノキシ）ジメチルメタンチタニウムクロライド}
【００２９】
μ-オキソビス{（η５−シクロペンタジエニル）（２−フェノキシ）メタンチタニウムメトキシド}、μ-オキソビス{（η５−シクロペンタジエニル）（３，５−ジメチル−２−フェノキシ）メタンチタニウムメトキシド}、μ-オキソビス{（η５−シクロペンタジエニル）（３−ｔｅｒｔ−ブチル−２−フェノキシ）メタンチタニウムメトキシド}、μ-オキソビス{（η５−シクロペンタジエニル）（３−ｔｅｒｔ−ブチル−５−メチル−２−フェノキシ）メタンチタニウムメトキシド}、μ-オキソビス{（η５−シクロペンタジエニル）（３−フェニル−２−フェノキシ）メタンチタニウムメトキシド}、μ-オキソビス{（η５−シクロペンタジエニル）（３−トリメチルシリル−５−メチル−２−フェノキシ）メタンチタニウムメトキシド}、μ-オキソビス{（η５−シクロペンタジエニル）（３−ｔｅｒｔ−ブチルジメチルシリル−５−メチル−２−フェノキシ）メタンチタニウムメトキシド}、μ-オキソビス{（η５−シクロペンタジエニル）（３−ｔｅｒｔ−ブチル−５−メトキシ−２−フェノキシ）メタンチタニウムメトキシド}、μ-オキソビス{（η５−シクロペンタジエニル）（３−ｔｅｒｔ−ブチル−５−クロロ−２−フェノキシ）メタンチタニウムメトキシド}
【００３０】
μ-オキソビス{（η５−シクロペンタジエニル）（２−フェノキシ）ジメチルメタンチタニウムメトキシド}、μ-オキソビス{（η５−シクロペンタジエニル）（３，５−ジメチル−２−フェノキシ）ジメチルメタンチタニウムメトキシド}、μ-オキソビス{（η５−シクロペンタジエニル）（３−ｔｅｒｔ−ブチル−２−フェノキシ）ジメチルメタンチタニウムメトキシド}、μ-オキソビス{（η５−シクロペンタジエニル）（３−ｔｅｒｔ−ブチル−５−メチル−２−フェノキシ）ジメチルメタンチタニウムメトキシド}、μ-オキソビス{（η５−シクロペンタジエニル）（３−フェニル−２−フェノキシ）ジメチルメタンチタニウムメトキシド}、μ-オキソビス{（η５−シクロペンタジエニル）（３−トリメチルシリル−５−メチル−２−フェノキシ）ジメチルメタンチタニウムメトキシド}、μ-オキソビス{（η５−シクロペンタジエニル）（３−ｔｅｒｔ−ブチルジメチルシリル−５−メチル−２−フェノキシ）ジメチルメタンチタニウムメトキシド}、μ-オキソビス{（η５−シクロペンタジエニル）（３−ｔｅｒｔ−ブチル−５−メトキシ−２−フェノキシ）ジメチルメタンチタニウムメトキシド}、μ-オキソビス{（η５−シクロペンタジエニル）（３−ｔｅｒｔ−ブチル−５−クロロ−２−フェノキシ）ジメチルメタンチタニウムメトキシド}
【００３１】
μ-オキソビス{（η５−シクロペンタジエニル）（２−フェノキシ）ジフェニルメタンチタニウムメトキシド}、μ-オキソビス{（η５−シクロペンタジエニル）（３，５−ジメチル−２−フェノキシ）ジフェニルメタンチタニウムメトキシド}、μ-オキソビス{（η５−シクロペンタジエニル）（３−ｔｅｒｔ−ブチル−２−フェノキシ）ジフェニルメタンチタニウムメトキシド}、μ-オキソビス{（η５−シクロペンタジエニル）（３−ｔｅｒｔ−ブチル−５−メチル−２−フェノキシ）ジフェニルメタンチタニウムメトキシド}、μ-オキソビス{（η５−シクロペンタジエニル）（３−フェニル−２−フェノキシ）ジフェニルメタンチタニウムメトキシド}、μ-オキソビス{（η５−シクロペンタジエニル）（３−トリメチルシリル−５−メチル−２−フェノキシ）ジフェニルメタンチタニウムメトキシド}、μ-オキソビス{（η５−シクロペンタジエニル）（３−ｔｅｒｔ−ブチルジメチルシリル−５−メチル−２−フェノキシ）ジフェニルメタンチタニウムメトキシド}、μ-オキソビス{（η５−シクロペンタジエニル）（３−ｔｅｒｔ−ブチル−５−メトキシ−２−フェノキシ）ジフェニルメタンチタニウムメトキシド}、μ-オキソビス{（η５−シクロペンタジエニル）（３−ｔｅｒｔ−ブチル−５−クロロ−２−フェノキシ）ジフェニルメタンチタニウムメトキシド}
【００３２】
μ-オキソビス{（η５−メチルシクロペンタジエニル）（２−フェノキシ）メタンチタニウムメトキシド}、μ-オキソビス{（η５−メチルシクロペンタジエニル）（３，５−ジメチル−２−フェノキシ）メタンチタニウムメトキシド}、μ-オキソビス{（η５−メチルシクロペンタジエニル）（３−ｔｅｒｔ−ブチル−２−フェノキシ）メタンチタニウムメトキシド}、μ-オキソビス{（η５−メチルシクロペンタジエニル）（３−ｔｅｒｔ−ブチル−５−メチル−２−フェノキシ）メタンチタニウムメトキシド}、μ-オキソビス{（η５−メチルシクロペンタジエニル）（３−フェニル−２−フェノキシ）メタンチタニウムメトキシド}、μ-オキソビス{（η５−メチルシクロペンタジエニル）（３−トリメチルシリル−５−メチル−２−フェノキシ）メタンチタニウムメトキシド}、μ-オキソビス{（η５−メチルシクロペンタジエニル）（３−ｔｅｒｔ−ブチルジメチルシリル−５−メチル−２−フェノキシ）メタンチタニウムメトキシド}、μ-オキソビス{（η５−メチルシクロペンタジエニル）（３−ｔｅｒｔ−ブチル−５−メトキシ−２−フェノキシ）メタンチタニウムメトキシド}、μ-オキソビス{（η５−メチルシクロペンタジエニル）（３−ｔｅｒｔ−ブチル−５−クロロ−２−フェノキシ）メタンチタニウムメトキシド}
【００３３】
μ-オキソビス{（η５−メチルシクロペンタジエニル）（２−フェノキシ）ジメチルメタンチタニウムメトキシド}、μ-オキソビス{（η５−メチルシクロペンタジエニル）（３，５−ジメチル−２−フェノキシ）ジメチルメタンチタニウムメトキシド}、μ-オキソビス{（η５−メチルシクロペンタジエニル）（３−ｔｅｒｔ−ブチル−２−フェノキシ）ジメチルメタンチタニウムメトキシド}、μ-オキソビス{（η５−メチルシクロペンタジエニル）（３−ｔｅｒｔ−ブチル−５−メチル−２−フェノキシ）ジメチルメタンチタニウムメトキシド}、μ-オキソビス{（η５−メチルシクロペンタジエニル）（３−フェニル−２−フェノキシ）ジメチルメタンチタニウムメトキシド}、μ-オキソビス{（η５−メチルシクロペンタジエニル）（３−トリメチルシリル−５−メチル−２−フェノキシ）ジメチルメタンチタニウムメトキシド}、μ-オキソビス{（η５−メチルシクロペンタジエニル）（３−ｔｅｒｔ−ブチルジメチルシリル−５−メチル−２−フェノキシ）ジメチルメタンチタニウムメトキシド}、μ-オキソビス{（η５−メチルシクロペンタジエニル）（３−ｔｅｒｔ−ブチル−５−メトキシ−２−フェノキシ）ジメチルメタンチタニウムメトキシド}、μ-オキソビス{（η５−メチルシクロペンタジエニル）（３−ｔｅｒｔ−ブチル−５−クロロ−２−フェノキシ）ジメチルメタンチタニウムメトキシド}
【００３４】
μ-オキソビス{（η５−メチルシクロペンタジエニル）（２−フェノキシ）ジフェニルメタンチタニウムメトキシド}、μ-オキソビス{（η５−メチルシクロペンタジエニル）（３，５−ジメチル−２−フェノキシ）ジフェニルメタンチタニウムメトキシド}、μ-オキソビス{（η５−メチルシクロペンタジエニル）（３−ｔｅｒｔ−ブチル−２−フェノキシ）ジフェニルメタンチタニウムメトキシド}、μ-オキソビス{（η５−メチルシクロペンタジエニル）（３−ｔｅｒｔ−ブチル−５−メチル−２−フェノキシ）ジフェニルメタンチタニウムメトキシド}、μ-オキソビス{（η５−メチルシクロペンタジエニル）（３−フェニル−２−フェノキシ）ジフェニルメタンチタニウムメトキシド}、μ-オキソビス{（η５−メチルシクロペンタジエニル）（３−トリメチルシリル−５−メチル−２−フェノキシ）ジフェニルメタンチタニウムメトキシド}、μ-オキソビス{（η５−メチルシクロペンタジエニル）（３−ｔｅｒｔ−ブチルジメチルシリル−５−メチル−２−フェノキシ）ジフェニルメタンチタニウムメトキシド}、μ-オキソビス{（η５−メチルシクロペンタジエニル）（３−ｔｅｒｔ−ブチル−５−メトキシ−２−フェノキシ）ジフェニルメタンチタニウムメトキシド}、μ-オキソビス{（η５−メチルシクロペンタジエニル）（３−ｔｅｒｔ−ブチル−５−クロロ−２−フェノキシ）ジフェニルメタンチタニウムメトキシド}
【００３５】
μ-オキソビス{（η５−ｔｅｒｔ−ブチルシクロペンタジエニル）（２−フェノキシ）メタンチタニウムメトキシド}、μ-オキソビス{（η５−ｔｅｒｔ−ブチルシクロペンタジエニル）（３，５−ジメチル−２−フェノキシ）メタンチタニウムメトキシド}、μ-オキソビス{（η５−ｔｅｒｔ−ブチルシクロペンタジエニル）（３−ｔｅｒｔ−ブチル−２−フェノキシ）メタンチタニウムメトキシド}、μ-オキソビス{（η５−ｔｅｒｔ−ブチルシクロペンタジエニル）（３−ｔｅｒｔ−ブチル−５−メチル−２−フェノキシ）メタンチタニウムメトキシド}、μ-オキソビス{（η５−ｔｅｒｔ−ブチルシクロペンタジエニル）（３−フェニル−２−フェノキシ）メタンチタニウムメトキシド}、μ-オキソビス{（η５−ｔｅｒｔ−ブチルシクロペンタジエニル）（３−トリメチルシリル−５−メチル−２−フェノキシ）メタンチタニウムメトキシド}、μ-オキソビス{（η５−ｔｅｒｔ−ブチルシクロペンタジエニル）（３−ｔｅｒｔ−ブチルジメチルシリル−５−メチル−２−フェノキシ）メタンチタニウムメトキシド}、μ-オキソビス{（η５−ｔｅｒｔ−ブチルシクロペンタジエニル）（３−ｔｅｒｔ−ブチル−５−メトキシ−２−フェノキシ）メタンチタニウムメトキシド}、μ-オキソビス{（η５−ｔｅｒｔ−ブチルシクロペンタジエニル）（３−ｔｅｒｔ−ブチル−５−クロロ−２−フェノキシ）メタンチタニウムメトキシド}
【００３６】
μ-オキソビス{（η５−ｔｅｒｔ−ブチルシクロペンタジエニル）（２−フェノキシ）ジメチルメタンチタニウムメトキシド}、μ-オキソビス{（η５−ｔｅｒｔ−ブチルシクロペンタジエニル）（３，５−ジメチル−２−フェノキシ）ジメチルメタンチタニウムメトキシド}、μ-オキソビス{（η５−ｔｅｒｔ−ブチルシクロペンタジエニル）（３−ｔｅｒｔ−ブチル−２−フェノキシ）ジメチルメタンチタニウムメトキシド}、μ-オキソビス{（η５−ｔｅｒｔ−ブチルシクロペンタジエニル）（３−ｔｅｒｔ−ブチル−５−メチル−２−フェノキシ）ジメチルメタンチタニウムメトキシド}、μ-オキソビス{（η５−ｔｅｒｔ−ブチルシクロペンタジエニル）（３−フェニル−２−フェノキシ）ジメチルメタンチタニウムメトキシド}、μ-オキソビス{（η５−ｔｅｒｔ−ブチルシクロペンタジエニル）（３−トリメチルシリル−５−メチル−２−フェノキシ）ジメチルメタンチタニウムメトキシド}、μ-オキソビス{（η５−ｔｅｒｔ−ブチルシクロペンタジエニル）（３−ｔｅｒｔ−ブチルジメチルシリル−５−メチル−２−フェノキシ）ジメチルメタンチタニウムメトキシド}、μ-オキソビス{（η５−ｔｅｒｔ−ブチルシクロペンタジエニル）（３−ｔｅｒｔ−ブチル−５−メトキシ−２−フェノキシ）ジメチルメタンチタニウムメトキシド}、μ-オキソビス{（η５−ｔｅｒｔ−ブチルシクロペンタジエニル）（３−ｔｅｒｔ−ブチル−５−クロロ−２−フェノキシ）ジメチルメタンチタニウムメトキシド}
【００３７】
μ-オキソビス{（η５−ｔｅｒｔ−ブチルシクロペンタジエニル）（２−フェノキシ）ジフェニルメタンチタニウムメトキシド}、μ-オキソビス{（η５−ｔｅｒｔ−ブチルシクロペンタジエニル）（３，５−ジメチル−２−フェノキシ）ジフェニルメタンチタニウムメトキシド}、μ-オキソビス{（η５−ｔｅｒｔ−ブチルシクロペンタジエニル）（３−ｔｅｒｔ−ブチル−２−フェノキシ）ジフェニルメタンチタニウムメトキシド}、μ-オキソビス{（η５−ｔｅｒｔ−ブチルシクロペンタジエニル）（３−ｔｅｒｔ−ブチル−５−メチル−２−フェノキシ）ジフェニルメタンチタニウムメトキシド}、μ-オキソビス{（η５−ｔｅｒｔ−ブチルシクロペンタジエニル）（３−フェニル−２−フェノキシ）ジフェニルメタンチタニウムメトキシド}、μ-オキソビス{（η５−ｔｅｒｔ−ブチルシクロペンタジエニル）（３−トリメチルシリル−５−メチル−２−フェノキシ）ジフェニルメタンチタニウムメトキシド}、μ-オキソビス{（η５−ｔｅｒｔ−ブチルシクロペンタジエニル）（３−ｔｅｒｔ−ブチルジメチルシリル−５−メチル−２−フェノキシ）ジフェニルメタンチタニウムメトキシド}、μ-オキソビス{（η５−ｔｅｒｔ−ブチルシクロペンタジエニル）（３−ｔｅｒｔ−ブチル−５−メトキシ−２−フェノキシ）ジフェニルメタンチタニウムメトキシド}、μ-オキソビス{（η５−ｔｅｒｔ−ブチルシクロペンタジエニル）（３−ｔｅｒｔ−ブチル−５−クロロ−２−フェノキシ）ジフェニルメタンチタニウムメトキシド}
【００３８】
μ-オキソビス{（η５−２，３，４，５−テトラメチルシクロペンタジエニル）（２−フェノキシ）メタンチタニウムメトキシド}、μ-オキソビス{（η５−２，３，４，５−テトラメチルシクロペンタジエニル）（３，５−ジメチル−２−フェノキシ）メタンチタニウムメトキシド}、μ-オキソビス{（η５−２，３，４，５−テトラメチルシクロペンタジエニル）（３−ｔｅｒｔ−ブチル−２−フェノキシ）メタンチタニウムメトキシド}、μ-オキソビス{（η５−２，３，４，５−テトラメチルシクロペンタジエニル）（３−ｔｅｒｔ−ブチル−５−メチル−２−フェノキシ）メタンチタニウムメトキシド}、μ-オキソビス{（η５−２，３，４，５−テトラメチルシクロペンタジエニル）（３−フェニル−２−フェノキシ）メタンチタニウムメトキシド}、μ-オキソビス{（η５−２，３，４，５−テトラメチルシクロペンタジエニル）（３−トリメチルシリル−５−メチル−２−フェノキシ）メタンチタニウムメトキシド}、μ-オキソビス{（η５−２，３，４，５−テトラメチルシクロペンタジエニル）（３−ｔｅｒｔ−ブチルジメチルシリル−５−メチル−２−フェノキシ）メタンチタニウムメトキシド}、μ-オキソビス{（η５−２，３，４，５−テトラメチルシクロペンタジエニル）（３−ｔｅｒｔ−ブチル−５−メトキシ−２−フェノキシ）メタンチタニウムメトキシド}、μ-オキソビス{（η５−２，３，４，５−テトラメチルシクロペンタジエニル）（３−ｔｅｒｔ−ブチル−５−クロロ−２−フェノキシ）メタンチタニウムメトキシド}
【００３９】
μ-オキソビス{（η５−２，３，４，５−テトラメチルシクロペンタジエニル）（２−フェノキシ）ジメチルメタンチタニウムメトキシド}、μ-オキソビス{（η５−２，３，４，５−テトラメチルシクロペンタジエニル）（３，５−ジメチル−２−フェノキシ）ジメチルメタンチタニウムメトキシド}、μ-オキソビス{（η５−２，３，４，５−テトラメチルシクロペンタジエニル）（３−ｔｅｒｔ−ブチル−２−フェノキシ）ジメチルメタンチタニウムメトキシド}、μ-オキソビス{（η５−２，３，４，５−テトラメチルシクロペンタジエニル）（３−ｔｅｒｔ−ブチル−５−メチル−２−フェノキシ）ジメチルメタンチタニウムメトキシド}、μ-オキソビス{（η５−２，３，４，５−テトラメチルシクロペンタジエニル）（３−フェニル−２−フェノキシ）ジメチルメタンチタニウムメトキシド}、μ-オキソビス{（η５−２，３，４，５−テトラメチルシクロペンタジエニル）（３−トリメチルシリル−５−メチル−２−フェノキシ）ジメチルメタンチタニウムメトキシド}、μ-オキソビス{（η５−２，３，４，５−テトラメチルシクロペンタジエニル）（３−ｔｅｒｔ−ブチルジメチルシリル−５−メチル−２−フェノキシ）ジメチルメタンチタニウムメトキシド}、μ-オキソビス{（η５−２，３，４，５−テトラメチルシクロペンタジエニル）（３−ｔｅｒｔ−ブチル−５−メトキシ−２−フェノキシ）ジメチルメタンチタニウムメトキシド}、μ-オキソビス{（η５−２，３，４，５−テトラメチルシクロペンタジエニル）（３−ｔｅｒｔ−ブチル−５−クロロ−２−フェノキシ）ジメチルメタンチタニウムメトキシド}
【００４０】
μ-オキソビス{（η５−２，３，４，５−テトラメチルシクロペンタジエニル）（２−フェノキシ）ジフェニルメタンチタニウムメトキシド}、μ-オキソビス{（η５−２，３，４，５−テトラメチルシクロペンタジエニル）（３，５−ジメチル−２−フェノキシ）ジフェニルメタンチタニウムメトキシド}、μ-オキソビス{（η５−２，３，４，５−テトラメチルシクロペンタジエニル）（３−ｔｅｒｔ−ブチル−２−フェノキシ）ジフェニルメタンチタニウムメトキシド}、μ-オキソビス{（η５−２，３，４，５−テトラメチルシクロペンタジエニル）（３−ｔｅｒｔ−ブチル−５−メチル−２−フェノキシ）ジフェニルメタンチタニウムメトキシド}、μ-オキソビス{（η５−２，３，４，５−テトラメチルシクロペンタジエニル）（３−フェニル−２−フェノキシ）ジフェニルメタンチタニウムメトキシド}、μ-オキソビス{（η５−２，３，４，５−テトラメチルシクロペンタジエニル）（３−トリメチルシリル−５−メチル−２−フェノキシ）ジフェニルメタンチタニウムメトキシド}、μ-オキソビス{（η５−２，３，４，５−テトラメチルシクロペンタジエニル）（３−ｔｅｒｔ−ブチルジメチルシリル−５−メチル−２−フェノキシ）ジフェニルメタンチタニウムメトキシド}、μ-オキソビス{（η５−２，３，４，５−テトラメチルシクロペンタジエニル）（３−ｔｅｒｔ−ブチル−５−メトキシ−２−フェノキシ）ジフェニルメタンチタニウムメトキシド}、μ-オキソビス{（η５−２，３，４，５−テトラメチルシクロペンタジエニル）（３−ｔｅｒｔ−ブチル−５−クロロ−２−フェノキシ）ジフェニルメタンチタニウムメトキシド}
【００４１】
μ-オキソビス{（η５−トリメチルシリルシクロペンタジエニル）（２−フェノキシ）メタンチタニウムメトキシド}、μ-オキソビス{（η５−トリメチルシリルシクロペンタジエニル）（３，５−ジメチル−２−フェノキシ）メタンチタニウムメトキシド}、μ-オキソビス{（η５−トリメチルシリルシクロペンタジエニル）（３−ｔｅｒｔ−ブチル−２−フェノキシ）メタンチタニウムメトキシド}、μ-オキソビス{（η５−トリメチルシリルシクロペンタジエニル）（３−ｔｅｒｔ−ブチル−５−メチル−２−フェノキシ）メタンチタニウムメトキシド}、μ-オキソビス{（η５−トリメチルシリルシクロペンタジエニル）（３−フェニル−２−フェノキシ）メタンチタニウムメトキシド}、μ-オキソビス{（η５−トリメチルシリルシクロペンタジエニル）（３−トリメチルシリル−５−メチル−２−フェノキシ）メタンチタニウムメトキシド}、μ-オキソビス{（η５−トリメチルシリルシクロペンタジエニル）（３−ｔｅｒｔ−ブチルジメチルシリル−５−メチル−２−フェノキシ）メタンチタニウムメトキシド}、μ-オキソビス{（η５−トリメチルシリルシクロペンタジエニル）（３−ｔｅｒｔ−ブチル−５−メトキシ−２−フェノキシ）メタンチタニウムメトキシド}、μ-オキソビス{（η５−トリメチルシリルシクロペンタジエニル）（３−ｔｅｒｔ−ブチル−５−クロロ−２−フェノキシ）メタンチタニウムメトキシド}
【００４２】
μ-オキソビス{（η５−トリメチルシリルシクロペンタジエニル）（２−フェノキシ）ジメチルメタンチタニウムメトキシド}、μ-オキソビス{（η５−トリメチルシリルシクロペンタジエニル）（３，５−ジメチル−２−フェノキシ）ジメチルメタンチタニウムメトキシド}、μ-オキソビス{（η５−トリメチルシリルシクロペンタジエニル）（３−ｔｅｒｔ−ブチル−２−フェノキシ）ジメチルメタンチタニウムメトキシド}、μ-オキソビス{（η５−トリメチルシリルシクロペンタジエニル）（３−ｔｅｒｔ−ブチル−５−メチル−２−フェノキシ）ジメチルメタンチタニウムメトキシド}、μ-オキソビス{（η５−トリメチルシリルシクロペンタジエニル）（３−フェニル−２−フェノキシ）ジメチルメタンチタニウムメトキシド}、μ-オキソビス{（η５−トリメチルシリルシクロペンタジエニル）（３−トリメチルシリル−５−メチル−２−フェノキシ）ジメチルメタンチタニウムメトキシド}、μ-オキソビス{（η５−トリメチルシリルシクロペンタジエニル）（３−ｔｅｒｔ−ブチルジメチルシリル−５−メチル−２−フェノキシ）ジメチルメタンチタニウムメトキシド}、μ-オキソビス{（η５−トリメチルシリルシクロペンタジエニル）（３−ｔｅｒｔ−ブチル−５−メトキシ−２−フェノキシ）ジメチルメタンチタニウムメトキシド}、μ-オキソビス{（η５−トリメチルシリルシクロペンタジエニル）（３−ｔｅｒｔ−ブチル−５−クロロ−２−フェノキシ）ジメチルメタンチタニウムメトキシド}
【００４３】
μ-オキソビス{（η５−トリメチルシリルシクロペンタジエニル）（２−フェノキシ）ジフェニルメタンチタニウムメトキシド}、μ-オキソビス{（η５−トリメチルシリルシクロペンタジエニル）（３，５−ジメチル−２−フェノキシ）ジフェニルメタンチタニウムメトキシド}、μ-オキソビス{（η５−トリメチルシリルシクロペンタジエニル）（３−ｔｅｒｔ−ブチル−２−フェノキシ）ジフェニルメタンチタニウムメトキシド}、μ-オキソビス{（η５−トリメチルシリルシクロペンタジエニル）（３−ｔｅｒｔ−ブチル−５−メチル−２−フェノキシ）ジフェニルメタンチタニウムメトキシド}、μ-オキソビス{（η５−トリメチルシリルシクロペンタジエニル）（３−フェニル−２−フェノキシ）ジフェニルメタンチタニウムメトキシド}、μ-オキソビス{（η５−トリメチルシリルシクロペンタジエニル）（３−トリメチルシリル−５−メチル−２−フェノキシ）ジフェニルメタンチタニウムメトキシド}、μ-オキソビス{（η５−トリメチルシリルシクロペンタジエニル）（３−ｔｅｒｔ−ブチルジメチルシリル−５−メチル−２−フェノキシ）ジフェニルメタンチタニウムメトキシド}、μ-オキソビス{（η５−トリメチルシリルシクロペンタジエニル）（３−ｔｅｒｔ−ブチル−５−メトキシ−２−フェノキシ）ジフェニルメタンチタニウムメトキシド}、μ-オキソビス{（η５−トリメチルシリルシクロペンタジエニル）（３−ｔｅｒｔ−ブチル−５−クロロ−２−フェノキシ）ジフェニルメタンチタニウムメトキシド}
などや、これらの化合物のクロライドをブロマイド、アイオダイドに変更した化合物、メトキシドをエトキシド、ｎ−プロポキシド、イソプロポキシド、ベンジルオキシドに変更した化合物、シクロペンタジエニルをジメチルシクロペンタジエニル、トリメチルシクロペンタジエニル、ｎ−ブチルシクロペンタジエニル、ｔｅｒｔ−ブチルジメチルシリルシクロペンタジエニル、インデニル、フルオレニルに変更した化合物、２−フェノキシを３−メチル−２−フェノキシ、３，５−ジ−ｔｅｒｔ−ブチル−２−フェノキシ、３−フェニル−５−メチル−２−フェノキシ、３−ｔｅｒｔ−ブチルジメチルシリル−２−フェノキシ、３−トリメチルシリル−２−フェノキシに変更した化合物、メタンをジエチルメタンに変更した化合物などが挙げられる。
【００４４】
Ａがケイ素原子の場合
μ-オキソビス{（η５−シクロペンタジエニル）（２−フェノキシ）ジメチルシランチタニウムクロライド}、μ-オキソビス{（η５−シクロペンタジエニル）（３，５−ジメチル−２−フェノキシ）ジメチルシランチタニウムクロライド}、μ-オキソビス{（η５−シクロペンタジエニル）（３−ｔｅｒｔ−ブチル−２−フェノキシ）ジメチルシランチタニウムクロライド}、μ-オキソビス{（η５−シクロペンタジエニル）（３−ｔｅｒｔ−ブチル−５−メチル−２−フェノキシ）ジメチルシランチタニウムクロライド}、μ-オキソビス{（η５−シクロペンタジエニル）（３−フェニル−２−フェノキシ）ジメチルシランチタニウムクロライド}、μ-オキソビス{（η５−シクロペンタジエニル）（３−トリメチルシリル−５−メチル−２−フェノキシ）ジメチルシランチタニウムクロライド}、μ-オキソビス{（η５−シクロペンタジエニル）（３−ｔｅｒｔ−ブチルジメチルシリル−５−メチル−２−フェノキシ）ジメチルシランチタニウムクロライド}、μ-オキソビス{（η５−シクロペンタジエニル）（３−ｔｅｒｔ−ブチル−５−メトキシ−２−フェノキシ）ジメチルシランチタニウムクロライド}、μ-オキソビス{（η５−シクロペンタジエニル）（３−ｔｅｒｔ−ブチル−５−クロロ−２−フェノキシ）ジメチルシランチタニウムクロライド}
【００４５】
μ-オキソビス{（η５−ｔｅｒｔ−ブチル−シクロペンタジエニル）（２−フェノキシ）ジメチルシランチタニウムクロライド}、μ-オキソビス{（η５−ｔｅｒｔ−ブチル−シクロペンタジエニル）（３，５−ジメチル−２−フェノキシ）ジメチルシランチタニウムクロライド}、μ-オキソビス{（η５−ｔｅｒｔ−ブチル−シクロペンタジエニル）（３−ｔｅｒｔ−ブチル−２−フェノキシ）ジメチルシランチタニウムクロライド}、μ-オキソビス{（η５−ｔｅｒｔ−ブチル−シクロペンタジエニル）（３−ｔｅｒｔ−ブチル−５−メチル−２−フェノキシ）ジメチルシランチタニウムクロライド}、μ-オキソビス{（η５−ｔｅｒｔ−ブチル−シクロペンタジエニル）（３−フェニル−２−フェノキシ）ジメチルシランチタニウムクロライド}、μ-オキソビス{（η５−ｔｅｒｔ−ブチル−シクロペンタジエニル）（３−トリメチルシリル−５−メチル−２−フェノキシ）ジメチルシランチタニウムクロライド}、μ-オキソビス{（η５−ｔｅｒｔ−ブチル−シクロペンタジエニル）（３−ｔｅｒｔ−ブチルジメチルシリル−５−メチル−２−フェノキシ）ジメチルシランチタニウムクロライド}、μ-オキソビス{（η５−ｔｅｒｔ−ブチル−シクロペンタジエニル）（３−ｔｅｒｔ−ブチル−５−メトキシ−２−フェノキシ）ジメチルシランチタニウムクロライド}、μ-オキソビス{（η５−ｔｅｒｔ−ブチル−シクロペンタジエニル）（３−ｔｅｒｔ−ブチル−５−クロロ−２−フェノキシ）ジメチルシランチタニウムクロライド}
【００４６】
μ-オキソビス{（η５−２，３，４，５−テトラメチルシクロペンタジエニル）（２−フェノキシ）ジメチルシランチタニウムクロライド}、μ-オキソビス{（η５−２，３，４，５−テトラメチルシクロペンタジエニル）（３，５−ジメチル−２−フェノキシ）ジメチルシランチタニウムクロライド}、μ-オキソビス{（η５−２，３，４，５−テトラメチルシクロペンタジエニル）（３−ｔｅｒｔ−ブチル−２−フェノキシ）ジメチルシランチタニウムクロライド}、μ-オキソビス{（η５−２，３，４，５−テトラメチルシクロペンタジエニル）（３−ｔｅｒｔ−ブチル−５−メチル−２−フェノキシ）ジメチルシランチタニウムクロライド}、μ-オキソビス{（η５−２，３，４，５−テトラメチルシクロペンタジエニル）（３−フェニル−２−フェノキシ）ジメチルシランチタニウムクロライド}、μ-オキソビス{（η５−２，３，４，５−テトラメチルシクロペンタジエニル）（３−トリメチルシリル−５−メチル−２−フェノキシ）ジメチルシランチタニウムクロライド}、μ-オキソビス{（η５−２，３，４，５−テトラメチルシクロペンタジエニル）（３−ｔｅｒｔ−ブチルジメチルシリル−５−メチル−２−フェノキシ）ジメチルシランチタニウムクロライド}、μ-オキソビス{（η５−２，３，４，５−テトラメチルシクロペンタジエニル）（３−ｔｅｒｔ−ブチル−５−メトキシ−２−フェノキシ）ジメチルシランチタニウムクロライド}、μ-オキソビス{（η５−２，３，４，５−テトラメチルシクロペンタジエニル）（３−ｔｅｒｔ−ブチル−５−クロロ−２−フェノキシ）ジメチルシランチタニウムクロライド}
【００４７】
μ-オキソビス{（η５−インデニル）（２−フェノキシ）ジメチルシランチタニウムクロライド}、μ-オキソビス{（η５−インデニル）（３，５−ジメチル−２−フェノキシ）ジメチルシランチタニウムクロライド}、μ-オキソビス{（η５−インデニル）（３−ｔｅｒｔ−ブチル−２−フェノキシ）ジメチルシランチタニウムクロライド}、μ-オキソビス{（η５−インデニル）（３−ｔｅｒｔ−ブチル−５−メチル−２−フェノキシ）ジメチルシランチタニウムクロライド}、μ-オキソビス{（η５−インデニル）（３−フェニル−２−フェノキシ）ジメチルシランチタニウムクロライド}、μ-オキソビス{（η５−インデニル）（３−トリメチルシリル−５−メチル−２−フェノキシ）ジメチルシランチタニウムクロライド}、μ-オキソビス{（η５−インデニル）（３−ｔｅｒｔ−ブチルジメチルシリル−５−メチル−２−フェノキシ）ジメチルシランチタニウムクロライド}、μ-オキソビス{（η５−インデニル）（３−ｔｅｒｔ−ブチル−５−メトキシ−２−フェノキシ）ジメチルシランチタニウムクロライド}、μ-オキソビス{（η５−インデニル）（３−ｔｅｒｔ−ブチル−５−クロロ−２−フェノキシ）ジメチルシランチタニウムクロライド}
【００４８】
μ-オキソビス{（η５−フルオレニル）（２−フェノキシ）ジメチルシランチタニウムクロライド}、μ-オキソビス{（η５−フルオレニル）（３，５−ジメチル−２−フェノキシ）ジメチルシランチタニウムクロライド}、μ-オキソビス{（η５−フルオレニル）（３−ｔｅｒｔ−ブチル−２−フェノキシ）ジメチルシランチタニウムクロライド}、μ-オキソビス{（η５−フルオレニル）（３−ｔｅｒｔ−ブチル−５−メチル−２−フェノキシ）ジメチルシランチタニウムクロライド}、μ-オキソビス{（η５−フルオレニル）（３−フェニル−２−フェノキシ）ジメチルシランチタニウムクロライド}、μ-オキソビス{（η５−フルオレニル）（３−トリメチルシリル−５−メチル−２−フェノキシ）ジメチルシランチタニウムクロライド}、μ-オキソビス{（η５−フルオレニル）（３−ｔｅｒｔ−ブチルジメチルシリル−５−メチル−２−フェノキシ）ジメチルシランチタニウムクロライド}、μ-オキソビス{（η５−フルオレニル）（３−ｔｅｒｔ−ブチル−５−メトキシ−２−フェノキシ）ジメチルシランチタニウムクロライド}、μ-オキソビス{（η５−フルオレニル）（３−ｔｅｒｔ−ブチル−５−クロロ−２−フェノキシ）ジメチルシランチタニウムクロライド}
【００４９】
μ-オキソビス{（η５−シクロペンタジエニル）（２−フェノキシ）ジフェニルシランチタニウムクロライド}、μ-オキソビス{（η５−シクロペンタジエニル）（３，５−ジメチル−２−フェノキシ）ジフェニルシランチタニウムクロライド}、μ-オキソビス{（η５−シクロペンタジエニル）（３−ｔｅｒｔ−ブチル−２−フェノキシ）ジフェニルシランチタニウムクロライド}、μ-オキソビス{（η５−シクロペンタジエニル）（３−ｔｅｒｔ−ブチル−５−メチル−２−フェノキシ）ジフェニルシランチタニウムクロライド}、μ-オキソビス{（η５−シクロペンタジエニル）（３−フェニル−２−フェノキシ）ジフェニルシランチタニウムクロライド}、μ-オキソビス{（η５−シクロペンタジエニル）（３−トリメチルシリル−５−メチル−２−フェノキシ）ジフェニルシランチタニウムクロライド}、μ-オキソビス{（η５−シクロペンタジエニル）（３−ｔｅｒｔ−ブチルジメチルシリル−５−メチル−２−フェノキシ）ジフェニルシランチタニウムクロライド}、μ-オキソビス{（η５−シクロペンタジエニル）（３−ｔｅｒｔ−ブチル−５−メトキシ−２−フェノキシ）ジフェニルシランチタニウムクロライド}、μ-オキソビス{（η５−シクロペンタジエニル）（３−ｔｅｒｔ−ブチル−５−クロロ−２−フェノキシ）ジフェニルシランチタニウムクロライド}
【００５０】
μ-オキソビス{（η５−シクロペンタジエニル）（２−フェノキシ）ジメチルシランチタニウムメトキシド}、μ-オキソビス{（η５−シクロペンタジエニル）（３，５−ジメチル−２−フェノキシ）ジメチルシランチタニウムメトキシド}、μ-オキソビス{（η５−シクロペンタジエニル）（３−ｔｅｒｔ−ブチル−２−フェノキシ）ジメチルシランチタニウムメトキシド}、μ-オキソビス{（η５−シクロペンタジエニル）（３−ｔｅｒｔ−ブチル−５−メチル−２−フェノキシ）ジメチルシランチタニウムメトキシド}、μ-オキソビス{（η５−シクロペンタジエニル）（３−フェニル−２−フェノキシ）ジメチルシランチタニウムメトキシド}、μ-オキソビス{（η５−シクロペンタジエニル）（３−トリメチルシリル−５−メチル−２−フェノキシ）ジメチルシランチタニウムメトキシド}、μ-オキソビス{（η５−シクロペンタジエニル）（３−ｔｅｒｔ−ブチルジメチルシリル−５−メチル−２−フェノキシ）ジメチルシランチタニウムメトキシド}、μ-オキソビス{（η５−シクロペンタジエニル）（３−ｔｅｒｔ−ブチル−５−メトキシ−２−フェノキシ）ジメチルシランチタニウムメトキシド}、μ-オキソビス{（η５−シクロペンタジエニル）（３−ｔｅｒｔ−ブチル−５−クロロ−２−フェノキシ）ジメチルシランチタニウムメトキシド}
【００５１】
μ-オキソビス{（η５−ｔｅｒｔ−ブチルシクロペンタジエニル）（２−フェノキシ）ジメチルシランチタニウムメトキシド}、μ-オキソビス{（η５−ｔｅｒｔ−ブチルシクロペンタジエニル）（３，５−ジメチル−２−フェノキシ）ジメチルシランチタニウムメトキシド}、μ-オキソビス{（η５−ｔｅｒｔ−ブチルシクロペンタジエニル）（３−ｔｅｒｔ−ブチル−２−フェノキシ）ジメチルシランチタニウムメトキシド}、μ-オキソビス{（η５−ｔｅｒｔ−ブチルシクロペンタジエニル）（３−ｔｅｒｔ−ブチル−５−メチル−２−フェノキシ）ジメチルシランチタニウムメトキシド}、μ-オキソビス{（η５−ｔｅｒｔ−ブチルシクロペンタジエニル）（３−フェニル−２−フェノキシ）ジメチルシランチタニウムメトキシド}、μ-オキソビス{（η５−ｔｅｒｔ−ブチルシクロペンタジエニル）（３−トリメチルシリル−５−メチル−２−フェノキシ）ジメチルシランチタニウムメトキシド}、μ-オキソビス{（η５−ｔｅｒｔ−ブチルシクロペンタジエニル）（３−ｔｅｒｔ−ブチルジメチルシリル−５−メチル−２−フェノキシ）ジメチルシランチタニウムメトキシド}、μ-オキソビス{（η５−ｔｅｒｔ−ブチルシクロペンタジエニル）（３−ｔｅｒｔ−ブチル−５−メトキシ−２−フェノキシ）ジメチルシランチタニウムメトキシド}、μ-オキソビス{（η５−ｔｅｒｔ−ブチルシクロペンタジエニル）（３−ｔｅｒｔ−ブチル−５−クロロ−２−フェノキシ）ジメチルシランチタニウムメトキシド}
【００５２】
μ-オキソビス{（η５−２，３，４，５−テトラメチルシクロペンタジエニル）（２−フェノキシ）ジメチルシランチタニウムメトキシド}、μ-オキソビス{（η５−２，３，４，５−テトラメチルシクロペンタジエニル）（３，５−ジメチル−２−フェノキシ）ジメチルシランチタニウムメトキシド}、μ-オキソビス{（η５−２，３，４，５−テトラメチルシクロペンタジエニル）（３−ｔｅｒｔ−ブチル−２−フェノキシ）ジメチルシランチタニウムメトキシド}、μ-オキソビス{（η５−２，３，４，５−テトラメチルシクロペンタジエニル）（３−ｔｅｒｔ−ブチル−５−メチル−２−フェノキシ）ジメチルシランチタニウムメトキシド}、μ-オキソビス{（η５−２，３，４，５−テトラメチルシクロペンタジエニル）（３−フェニル−２−フェノキシ）ジメチルシランチタニウムメトキシド}、μ-オキソビス{（η５−２，３，４，５−テトラメチルシクロペンタジエニル）（３−トリメチルシリル−５−メチル−２−フェノキシ）ジメチルシランチタニウムメトキシド}、μ-オキソビス{（η５−２，３，４，５−テトラメチルシクロペンタジエニル）（３−ｔｅｒｔ−ブチルジメチルシリル−５−メチル−２−フェノキシ）ジメチルシランチタニウムメトキシド}、μ-オキソビス{（η５−２，３，４，５−テトラメチルシクロペンタジエニル）（３−ｔｅｒｔ−ブチル−５−メトキシ−２−フェノキシ）ジメチルシランチタニウムメトキシド}、μ-オキソビス{（η５−２，３，４，５−テトラメチルシクロペンタジエニル）（３−ｔｅｒｔ−ブチル−５−クロロ−２−フェノキシ）ジメチルシランチタニウムメトキシド}
【００５３】
μ-オキソビス{（η５−インデニル）（２−フェノキシ）ジメチルシランチタニウムメトキシド}、μ-オキソビス{（η５−インデニル）（３，５−ジメチル−２−フェノキシ）ジメチルシランチタニウムメトキシド}、μ-オキソビス{（η５−インデニル）（３−ｔｅｒｔ−ブチル−２−フェノキシ）ジメチルシランチタニウムメトキシド}、μ-オキソビス{（η５−インデニル）（３−ｔｅｒｔ−ブチル−５−メチル−２−フェノキシ）ジメチルシランチタニウムメトキシド}、μ-オキソビス{（η５−インデニル）（３−フェニル−２−フェノキシ）ジメチルシランチタニウムメトキシド}、μ-オキソビス{（η５−インデニル）（３−トリメチルシリル−５−メチル−２−フェノキシ）ジメチルシランチタニウムメトキシド}、μ-オキソビス{（η５−インデニル）（３−ｔｅｒｔ−ブチルジメチルシリル−５−メチル−２−フェノキシ）ジメチルシランチタニウムメトキシド}、μ-オキソビス{（η５−インデニル）（３−ｔｅｒｔ−ブチル−５−メトキシ−２−フェノキシ）ジメチルシランチタニウムメトキシド}、μ-オキソビス{（η５−インデニル）（３−ｔｅｒｔ−ブチル−５−クロロ−２−フェノキシ）ジメチルシランチタニウムメトキシド}
【００５４】
μ-オキソビス{（η５−フルオレニル）（２−フェノキシ）ジメチルシランチタニウムメトキシド}、μ-オキソビス{（η５−フルオレニル）（３，５−ジメチル−２−フェノキシ）ジメチルシランチタニウムメトキシド}、μ-オキソビス{（η５−フルオレニル）（３−ｔｅｒｔ−ブチル−２−フェノキシ）ジメチルシランチタニウムメトキシド}、μ-オキソビス{（η５−フルオレニル）（３−ｔｅｒｔ−ブチル−５−メチル−２−フェノキシ）ジメチルシランチタニウムメトキシド}、μ-オキソビス{（η５−フルオレニル）（３−フェニル−２−フェノキシ）ジメチルシランチタニウムメトキシド}、μ-オキソビス{（η５−フルオレニル）（３−トリメチルシリル−５−メチル−２−フェノキシ）ジメチルシランチタニウムメトキシド}、μ-オキソビス{（η５−フルオレニル）（３−ｔｅｒｔ−ブチルジメチルシリル−５−メチル−２−フェノキシ）ジメチルシランチタニウムメトキシド}、μ-オキソビス{（η５−フルオレニル）（３−ｔｅｒｔ−ブチル−５−メトキシ−２−フェノキシ）ジメチルシランチタニウムメトキシド}、μ-オキソビス{（η５−フルオレニル）（３−ｔｅｒｔ−ブチル−５−クロロ−２−フェノキシ）ジメチルシランチタニウムメトキシド}
【００５５】
μ-オキソビス{（η５−シクロペンタジエニル）（２−フェノキシ）ジフェニルシランチタニウムメトキシド}、μ-オキソビス{（η５−シクロペンタジエニル）（３，５−ジメチル−２−フェノキシ）ジフェニルシランチタニウムメトキシド}、μ-オキソビス{（η５−シクロペンタジエニル）（３−ｔｅｒｔ−ブチル−２−フェノキシ）ジフェニルシランチタニウムメトキシド}、μ-オキソビス{（η５−シクロペンタジエニル）（３−ｔｅｒｔ−ブチル−５−メチル−２−フェノキシ）ジフェニルシランチタニウムメトキシド}、μ-オキソビス{（η５−シクロペンタジエニル）（３−フェニル−２−フェノキシ）ジフェニルシランチタニウムメトキシド}、μ-オキソビス{（η５−シクロペンタジエニル）（３−トリメチルシリル−５−メチル−２−フェノキシ）ジフェニルシランチタニウムメトキシド}、μ-オキソビス{（η５−シクロペンタジエニル）（３−ｔｅｒｔ−ブチルジメチルシリル−５−メチル−２−フェノキシ）ジフェニルシランチタニウムメトキシド}、μ-オキソビス{（η５−シクロペンタジエニル）（３−ｔｅｒｔ−ブチル−５−メトキシ−２−フェノキシ）ジフェニルシランチタニウムメトキシド}、μ-オキソビス{（η５−シクロペンタジエニル）（３−ｔｅｒｔ−ブチル−５−クロロ−２−フェノキシ）ジフェニルシランチタニウムメトキシド}
【００５６】
μ-オキソビス{（η５−ｔｅｒｔ−ブチルシクロペンタジエニル）（２−フェノキシ）ジフェニルシランチタニウムメトキシド}、μ-オキソビス{（η５−ｔｅｒｔ−ブチルシクロペンタジエニル）（３，５−ジメチル−２−フェノキシ）ジフェニルシランチタニウムメトキシド}、μ-オキソビス{（η５−ｔｅｒｔ−ブチルシクロペンタジエニル）（３−ｔｅｒｔ−ブチル−２−フェノキシ）ジフェニルシランチタニウムメトキシド}、μ-オキソビス{（η５−ｔｅｒｔ−ブチルシクロペンタジエニル）（３−ｔｅｒｔ−ブチル−５−メチル−２−フェノキシ）ジフェニルシランチタニウムメトキシド}、μ-オキソビス{（η５−ｔｅｒｔ−ブチルシクロペンタジエニル）（３−フェニル−２−フェノキシ）ジフェニルシランチタニウムメトキシド}、μ-オキソビス{（η５−ｔｅｒｔ−ブチルシクロペンタジエニル）（３−トリメチルシリル−５−メチル−２−フェノキシ）ジフェニルシランチタニウムメトキシド}、μ-オキソビス{（η５−ｔｅｒｔ−ブチルシクロペンタジエニル）（３−ｔｅｒｔ−ブチルジメチルシリル−５−メチル−２−フェノキシ）ジフェニルシランチタニウムメトキシド}、μ-オキソビス{（η５−ｔｅｒｔ−ブチルシクロペンタジエニル）（３−ｔｅｒｔ−ブチル−５−メトキシ−２−フェノキシ）ジフェニルシランチタニウムメトキシド}、μ-オキソビス{（η５−ｔｅｒｔ−ブチルシクロペンタジエニル）（３−ｔｅｒｔ−ブチル−５−クロロ−２−フェノキシ）ジフェニルシランチタニウムメトキシド}
【００５７】
μ-オキソビス{（η５−２，３，４，５−テトラメチルシクロペンタジエニル）（２−フェノキシ）ジフェニルシランチタニウムメトキシド}、μ-オキソビス{（η５−２，３，４，５−テトラメチルシクロペンタジエニル）（３，５−ジメチル−２−フェノキシ）ジフェニルシランチタニウムメトキシド}、μ-オキソビス{（η５−２，３，４，５−テトラメチルシクロペンタジエニル）（３−ｔｅｒｔ−ブチル−２−フェノキシ）ジフェニルシランチタニウムメトキシド}、μ-オキソビス{（η５−２，３，４，５−テトラメチルシクロペンタジエニル）（３−ｔｅｒｔ−ブチル−５−メチル−２−フェノキシ）ジフェニルシランチタニウムメトキシド}、μ-オキソビス{（η５−２，３，４，５−テトラメチルシクロペンタジエニル）（３−フェニル−２−フェノキシ）ジフェニルシランチタニウムメトキシド}、μ-オキソビス{（η５−２，３，４，５−テトラメチルシクロペンタジエニル）（３−トリメチルシリル−５−メチル−２−フェノキシ）ジフェニルシランチタニウムメトキシド}、μ-オキソビス{（η５−２，３，４，５−テトラメチルシクロペンタジエニル）（３−ｔｅｒｔ−ブチルジメチルシリル−５−メチル−２−フェノキシ）ジフェニルシランチタニウムメトキシド}、μ-オキソビス{（η５−２，３，４，５−テトラメチルシクロペンタジエニル）（３−ｔｅｒｔ−ブチル−５−メトキシ−２−フェノキシ）ジフェニルシランチタニウムメトキシド}、μ-オキソビス{（η５−２，３，４，５−テトラメチルシクロペンタジエニル）（３−ｔｅｒｔ−ブチル−５−クロロ−２−フェノキシ）ジフェニルシランチタニウムメトキシド}
【００５８】
μ-オキソビス{（η５−インデニル）（２−フェノキシ）ジフェニルシランチタニウムメトキシド}、μ-オキソビス{（η５−インデニル）（３，５−ジメチル−２−フェノキシ）ジフェニルシランチタニウムメトキシド}、μ-オキソビス{（η５−インデニル）（３−ｔｅｒｔ−ブチル−２−フェノキシ）ジフェニルシランチタニウムメトキシド}、μ-オキソビス{（η５−インデニル）（３−ｔｅｒｔ−ブチル−５−メチル−２−フェノキシ）ジフェニルシランチタニウムメトキシド}、μ-オキソビス{（η５−インデニル）（３−フェニル−２−フェノキシ）ジフェニルシランチタニウムメトキシド}、μ-オキソビス{（η５−インデニル）（３−トリメチルシリル−５−メチル−２−フェノキシ）ジフェニルシランチタニウムメトキシド}、μ-オキソビス{（η５−インデニル）（３−ｔｅｒｔ−ブチルジメチルシリル−５−メチル−２−フェノキシ）ジフェニルシランチタニウムメトキシド}、μ-オキソビス{（η５−インデニル）（３−ｔｅｒｔ−ブチル−５−メトキシ−２−フェノキシ）ジフェニルシランチタニウムメトキシド}、μ-オキソビス{（η５−インデニル）（３−ｔｅｒｔ−ブチル−５−クロロ−２−フェノキシ）ジフェニルシランチタニウムメトキシド}
【００５９】
μ-オキソビス{（η５−フルオレニル）（２−フェノキシ）ジフェニルシランチタニウムメトキシド}、μ-オキソビス{（η５−フルオレニル）（３，５−ジメチル−２−フェノキシ）ジフェニルシランチタニウムメトキシド}、μ-オキソビス{（η５−フルオレニル）（３−ｔｅｒｔ−ブチル−２−フェノキシ）ジフェニルシランチタニウムメトキシド}、μ-オキソビス{（η５−フルオレニル）（３−ｔｅｒｔ−ブチル−５−メチル−２−フェノキシ）ジフェニルシランチタニウムメトキシド}、μ-オキソビス{（η５−フルオレニル）（３−フェニル−２−フェノキシ）ジフェニルシランチタニウムメトキシド}、μ-オキソビス{（η５−フルオレニル）（３−トリメチルシリル−５−メチル−２−フェノキシ）ジフェニルシランチタニウムメトキシド}、μ-オキソビス{（η５−フルオレニル）（３−ｔｅｒｔ−ブチルジメチルシリル−５−メチル−２−フェノキシ）ジフェニルシランチタニウムメトキシド}、μ-オキソビス{（η５−フルオレニル）（３−ｔｅｒｔ−ブチル−５−メトキシ−２−フェノキシ）ジフェニルシランチタニウムメトキシド}、μ-オキソビス{（η５−フルオレニル）（３−ｔｅｒｔ−ブチル−５−クロロ−２−フェノキシ）ジフェニルシランチタニウムメトキシド}
【００６０】
および、これらの化合物のジメチルシランをジエチルシラン、ジメトキシシランに変更した化合物、シクロペンタジエニルをジメチルシクロペンタジエニル、トリメチルシクロペンタジエニル、エチルシクロペンタジエニル、ｎ−プロピルシクロペンタジエニル、イソプロピルシクロペンタジエニル、ｎ−ブチルシクロペンタジエニル、ｓｅｃ−ブチルシクロペンタジエニル、イソブチルシクロペンタジエニル、ｔｅｒｔ−ブチルジメチルシリルシクロペンタジエニル、フェニルシクロペンタジエニル、メチルインデニル、フェニルインデニルに変更した化合物、２−フェノキシを３−フェニル−２−フェノキシ、３−トリメチルシリル−２−フェノキシ、３−ｔｅｒｔ−ブチルジメチルシリル−２−フェノキシに変更した化合物、クロライドをブロマイド、アイオダイドに変更した化合物、メトキシドをエトキシド、ｎ−プロポキシド、イソプロポキシド、メトキシエトキシド、ベンジルオキシドに変更した化合物等が挙げられる。
また、μ−オキソチタン錯体（１）は、単一ジアステレオマー、ジアステレオマー混合物いずれの組成を持っていても構わない。
【００６１】
本発明の原料化合物であるチタン錯体（２）としては、Ａが炭素原子の場合、例えば
（η５−シクロペンタジエニル）（２−フェノキシ）メタンチタニウムジクロライド、（η５−シクロペンタジエニル）（３，５−ジメチル−２−フェノキシ）メタンチタニウムジクロライド、（η５−シクロペンタジエニル）（３−ｔｅｒｔ−ブチル−２−フェノキシ）メタンチタニウムジクロライド、（η５−シクロペンタジエニル）（３−ｔｅｒｔ−ブチル−５−メチル−２−フェノキシ）メタンチタニウムジクロライド、（η５−シクロペンタジエニル）（３−フェニル−２−フェノキシ）メタンチタニウムジクロライド、（η５−シクロペンタジエニル）（３−トリメチルシリル−５−メチル−２−フェノキシ）メタンチタニウムジクロライド、（η５−シクロペンタジエニル）（３−ｔｅｒｔ−ブチルジメチルシリル−５−メチル−２−フェノキシ）メタンチタニウムジクロライド、（η５−シクロペンタジエニル）（３−ｔｅｒｔ−ブチル−５−メトキシ−２−フェノキシ）メタンチタニウムジクロライド、（η５−シクロペンタジエニル）（３−ｔｅｒｔ−ブチル−５−クロロ−２−フェノキシ）メタンチタニウムジクロライド
【００６２】
（η５−シクロペンタジエニル）（２−フェノキシ）ジメチルメタンチタニウムジクロライド、（η５−シクロペンタジエニル）（３，５−ジメチル−２−フェノキシ）ジメチルメタンチタニウムジクロライド、（η５−シクロペンタジエニル）（３−ｔｅｒｔ−ブチル−２−フェノキシ）ジメチルメタンチタニウムジクロライド、（η５−シクロペンタジエニル）（３−ｔｅｒｔ−ブチル−５−メチル−２−フェノキシ）ジメチルメタンチタニウムジクロライド、（η５−シクロペンタジエニル）（３−フェニル−２−フェノキシ）ジメチルメタンチタニウムジクロライド、（η５−シクロペンタジエニル）（３−トリメチルシリル−５−メチル−２−フェノキシ）ジメチルメタンチタニウムジクロライド、（η５−シクロペンタジエニル）（３−ｔｅｒｔ−ブチルジメチルシリル−５−メチル−２−フェノキシ）ジメチルメタンチタニウムジクロライド、（η５−シクロペンタジエニル）（３−ｔｅｒｔ−ブチル−５−メトキシ−２−フェノキシ）ジメチルメタンチタニウムジクロライド、（η５−シクロペンタジエニル）（３−ｔｅｒｔ−ブチル−５−クロロ−２−フェノキシ）ジメチルメタンチタニウムジクロライド
【００６３】
（η５−シクロペンタジエニル）（２−フェノキシ）ジフェニルメタンチタニウムジクロライド、（η５−シクロペンタジエニル）（３，５−ジメチル−２−フェノキシ）ジフェニルメタンチタニウムジクロライド、（η５−シクロペンタジエニル）（３−ｔｅｒｔ−ブチル−２−フェノキシ）ジフェニルメタンチタニウムジクロライド、（η５−シクロペンタジエニル）（３−ｔｅｒｔ−ブチル−５−メチル−２−フェノキシ）ジフェニルメタンチタニウムジクロライド、（η５−シクロペンタジエニル）（３−フェニル−２−フェノキシ）ジフェニルメタンチタニウムジクロライド、（η５−シクロペンタジエニル）（３−トリメチルシリル−５−メチル−２−フェノキシ）ジフェニルメタンチタニウムジクロライド、（η５−シクロペンタジエニル）（３−ｔｅｒｔ−ブチルジメチルシリル−５−メチル−２−フェノキシ）ジフェニルメタンチタニウムジクロライド、（η５−シクロペンタジエニル）（３−ｔｅｒｔ−ブチル−５−メトキシ−２−フェノキシ）ジフェニルメタンチタニウムジクロライド、（η５−シクロペンタジエニル）（３−ｔｅｒｔ−ブチル−５−クロロ−２−フェノキシ）ジフェニルメタンチタニウムジクロライド
【００６４】
（η５−メチルシクロペンタジエニル）（２−フェノキシ）ジメチルメタンチタニウムジクロライド、（η５−メチルシクロペンタジエニル）（３，５−ジメチル−２−フェノキシ）ジメチルメタンチタニウムジクロライド、（η５−メチルシクロペンタジエニル）（３−ｔｅｒｔ−ブチル−２−フェノキシ）ジメチルメタンチタニウムジクロライド、（η５−メチルシクロペンタジエニル）（３−ｔｅｒｔ−ブチル−５−メチル−２−フェノキシ）ジメチルメタンチタニウムジクロライド、（η５−メチルシクロペンタジエニル）（３−フェニル−２−フェノキシ）ジメチルメタンチタニウムジクロライド、（η５−メチルシクロペンタジエニル）（３−トリメチルシリル−５−メチル−２−フェノキシ）ジメチルメタンチタニウムジクロライド、（η５−メチルシクロペンタジエニル）（３−ｔｅｒｔ−ブチルジメチルシリル−５−メチル−２−フェノキシ）ジメチルメタンチタニウムジクロライド、（η５−メチルシクロペンタジエニル）（３−ｔｅｒｔ−ブチル−５−メトキシ−２−フェノキシ）ジメチルメタンチタニウムジクロライド、（η５−メチルシクロペンタジエニル）（３−ｔｅｒｔ−ブチル−５−クロロ−２−フェノキシ）ジメチルメタンチタニウムジクロライド
【００６５】
（η５−ｔｅｒｔ−ブチルシクロペンタジエニル）（２−フェノキシ）ジメチルメタンチタニウムジクロライド、（ η５−ｔｅｒｔ−ブチルシクロペンタジエニル）（３，５−ジメチル−２−フェノキシ）ジメチルメタンチタニウムジクロライド、（ η５−ｔｅｒｔ−ブチルシクロペンタジエニル）（３−ｔｅｒｔ−ブチル−２−フェノキシ）ジメチルメタンチタニウムジクロライド、（ η５−ｔｅｒｔ−ブチルシクロペンタジエニル）（３−ｔｅｒｔ−ブチル−５−メチル−２−フェノキシ）ジメチルメタンチタニウムジクロライド、（ η５−ｔｅｒｔ−ブチルシクロペンタジエニル）（３−フェニル−２−フェノキシ）ジメチルメタンチタニウムジクロライド、（ η５−ｔｅｒｔ−ブチルシクロペンタジエニル）（３−トリメチルシリル−５−メチル−２−フェノキシ）ジメチルメタンチタニウムジクロライド、（ η５−ｔｅｒｔ−ブチルシクロペンタジエニル）（３−ｔｅｒｔ−ブチルジメチルシリル−５−メチル−２−フェノキシ）ジメチルメタンチタニウムジクロライド、（ η５−ｔｅｒｔ−ブチルシクロペンタジエニル）（３−ｔｅｒｔ−ブチル−５−メトキシ−２−フェノキシ）ジメチルメタンチタニウムジクロライド、（ η５−ｔｅｒｔ−ブチルシクロペンタジエニル）（３−ｔｅｒｔ−ブチル−５−クロロ−２−フェノキシ）ジメチルメタンチタニウムジクロライド
【００６６】
（η５−２，３，４，５−テトラメチルシクロペンタジエニル）（２−フェノキシ）ジメチルメタンチタニウムジクロライド、（η５−２，３，４，５−テトラメチルシクロペンタジエニル）（３，５−ジメチル−２−フェノキシ）ジメチルメタンチタニウムジクロライド、（η５−２，３，４，５−テトラメチルシクロペンタジエニル）（３−ｔｅｒｔ−ブチル−２−フェノキシ）ジメチルメタンチタニウムジクロライド、（η５−２，３，４，５−テトラメチルシクロペンタジエニル）（３−ｔｅｒｔ−ブチル−５−メチル−２−フェノキシ）ジメチルメタンチタニウムジクロライド、（η５−２，３，４，５−テトラメチルシクロペンタジエニル）（３−フェニル−２−フェノキシ）ジメチルメタンチタニウムジクロライド、（η５−２，３，４，５−テトラメチルシクロペンタジエニル）（３−トリメチルシリル−５−メチル−２−フェノキシ）ジメチルメタンチタニウムジクロライド、（η５−２，３，４，５−テトラメチルシクロペンタジエニル）（３−ｔｅｒｔ−ブチルジメチルシリル−５−メチル−２−フェノキシ）ジメチルメタンチタニウムジクロライド、（η５−２，３，４，５−テトラメチルシクロペンタジエニル）（３−ｔｅｒｔ−ブチル−５−メトキシ−２−フェノキシ）ジメチルメタンチタニウムジクロライド、（η５−２，３，４，５−テトラメチルシクロペンタジエニル）（３−ｔｅｒｔ−ブチル−５−クロロ−２−フェノキシ）ジメチルメタンチタニウムジクロライド
【００６７】
（η５−トリメチルシリルシクロペンタジエニル）（２−フェノキシ）ジメチルメタンチタニウムジクロライド、（η５−トリメチルシリルシクロペンタジエニル）（３，５−ジメチル−２−フェノキシ）ジメチルメタンチタニウムジクロライド、（η５−トリメチルシリルシクロペンタジエニル）（３−ｔｅｒｔ−ブチル−２−フェノキシ）ジメチルメタンチタニウムジクロライド、（η５−トリメチルシリルシクロペンタジエニル）（３−ｔｅｒｔ−ブチル−５−メチル−２−フェノキシ）ジメチルメタンチタニウムジクロライド、（η５−トリメチルシリルシクロペンタジエニル）（３−フェニル−２−フェノキシ）ジメチルメタンチタニウムジクロライド、（η５−トリメチルシリルシクロペンタジエニル）（３−トリメチルシリル−５−メチル−２−フェノキシ）ジメチルメタンチタニウムジクロライド、（η５−トリメチルシリルシクロペンタジエニル）（３−ｔｅｒｔ−ブチルジメチルシリル−５−メチル−２−フェノキシ）ジメチルメタンチタニウムジクロライド、（η５−トリメチルシリルシクロペンタジエニル）（３−ｔｅｒｔ−ブチル−５−メトキシ−２−フェノキシ）ジメチルメタンチタニウムジクロライド、（η５−トリメチルシリルシクロペンタジエニル）（３−ｔｅｒｔ−ブチル−５−クロロ−２−フェノキシ）ジメチルメタンチタニウムジクロライド
【００６８】
（η５−シクロペンタジエニル）（２−フェノキシ）メタンチタニウムジメトキシド、（η５−シクロペンタジエニル）（３，５−ジメチル−２−フェノキシ）メタンチタニウムジメトキシド、（η５−シクロペンタジエニル）（３−ｔｅｒｔ−ブチル−２−フェノキシ）メタンチタニウムジメトキシド、（η５−シクロペンタジエニル）（３−ｔｅｒｔ−ブチル−５−メチル−２−フェノキシ）メタンチタニウムジメトキシド、（η５−シクロペンタジエニル）（３−フェニル−２−フェノキシ）メタンチタニウムジメトキシド、（η５−シクロペンタジエニル）（３−トリメチルシリル−５−メチル−２−フェノキシ）メタンチタニウムジメトキシド、（η５−シクロペンタジエニル）（３−ｔｅｒｔ−ブチルジメチルシリル−５−メチル−２−フェノキシ）メタンチタニウムジメトキシド、（η５−シクロペンタジエニル）（３−ｔｅｒｔ−ブチル−５−メトキシ−２−フェノキシ）メタンチタニウムジメトキシド、（η５−シクロペンタジエニル）（３−ｔｅｒｔ−ブチル−５−クロロ−２−フェノキシ）メタンチタニウムジメトキシド
【００６９】
（η５−シクロペンタジエニル）（２−フェノキシ）ジメチルメタンチタニウムジメトキシド、（η５−シクロペンタジエニル）（３，５−ジメチル−２−フェノキシ）ジメチルメタンチタニウムジメトキシド、（η５−シクロペンタジエニル）（３−ｔｅｒｔ−ブチル−２−フェノキシ）ジメチルメタンチタニウムジメトキシド、（η５−シクロペンタジエニル）（３−ｔｅｒｔ−ブチル−５−メチル−２−フェノキシ）ジメチルメタンチタニウムジメトキシド、（η５−シクロペンタジエニル）（３−フェニル−２−フェノキシ）ジメチルメタンチタニウムジメトキシド、（η５−シクロペンタジエニル）（３−トリメチルシリル−５−メチル−２−フェノキシ）ジメチルメタンチタニウムジメトキシド、（η５−シクロペンタジエニル）（３−ｔｅｒｔ−ブチルジメチルシリル−５−メチル−２−フェノキシ）ジメチルメタンチタニウムジメトキシド、（η５−シクロペンタジエニル）（３−ｔｅｒｔ−ブチル−５−メトキシ−２−フェノキシ）ジメチルメタンチタニウムジメトキシド、（η５−シクロペンタジエニル）（３−ｔｅｒｔ−ブチル−５−クロロ−２−フェノキシ）ジメチルメタンチタニウムジメトキシド
【００７０】
（η５−シクロペンタジエニル）（２−フェノキシ）ジフェニルメタンチタニウムジメトキシド、（η５−シクロペンタジエニル）（３，５−ジメチル−２−フェノキシ）ジフェニルメタンチタニウムジメトキシド、（η５−シクロペンタジエニル）（３−ｔｅｒｔ−ブチル−２−フェノキシ）ジフェニルメタンチタニウムジメトキシド、（η５−シクロペンタジエニル）（３−ｔｅｒｔ−ブチル−５−メチル−２−フェノキシ）ジフェニルメタンチタニウムジメトキシド、（η５−シクロペンタジエニル）（３−フェニル−２−フェノキシ）ジフェニルメタンチタニウムジメトキシド、（η５−シクロペンタジエニル）（３−トリメチルシリル−５−メチル−２−フェノキシ）ジフェニルメタンチタニウムジメトキシド、（η５−シクロペンタジエニル）（３−ｔｅｒｔ−ブチルジメチルシリル−５−メチル−２−フェノキシ）ジフェニルメタンチタニウムジメトキシド、（η５−シクロペンタジエニル）（３−ｔｅｒｔ−ブチル−５−メトキシ−２−フェノキシ）ジフェニルメタンチタニウムジメトキシド、（η５−シクロペンタジエニル）（３−ｔｅｒｔ−ブチル−５−クロロ−２−フェノキシ）ジフェニルメタンチタニウムジメトキシド
【００７１】
（η５−メチルシクロペンタジエニル）（２−フェノキシ）メタンチタニウムジメトキシド、（η５−メチルシクロペンタジエニル）（３，５−ジメチル−２−フェノキシ）メタンチタニウムジメトキシド、（η５−メチルシクロペンタジエニル）（３−ｔｅｒｔ−ブチル−２−フェノキシ）メタンチタニウムジメトキシド、（η５−メチルシクロペンタジエニル）（３−ｔｅｒｔ−ブチル−５−メチル−２−フェノキシ）メタンチタニウムジメトキシド、（η５−メチルシクロペンタジエニル）（３−フェニル−２−フェノキシ）メタンチタニウムジメトキシド、（η５−メチルシクロペンタジエニル）（３−トリメチルシリル−５−メチル−２−フェノキシ）メタンチタニウムジメトキシド、（η５−メチルシクロペンタジエニル）（３−ｔｅｒｔ−ブチルジメチルシリル−５−メチル−２−フェノキシ）メタンチタニウムジメトキシド、（η５−メチルシクロペンタジエニル）（３−ｔｅｒｔ−ブチル−５−メトキシ−２−フェノキシ）メタンチタニウムジメトキシド、（η５−メチルシクロペンタジエニル）（３−ｔｅｒｔ−ブチル−５−クロロ−２−フェノキシ）メタンチタニウムジメトキシド
【００７２】
（η５−ｔｅｒｔ−ブチルシクロペンタジエニル）（２−フェノキシ）メタンチタニウムジメトキシド、（η５−ｔｅｒｔ−ブチルシクロペンタジエニル）（３，５−ジメチル−２−フェノキシ）メタンチタニウムジメトキシド、（η５−ｔｅｒｔ−ブチルシクロペンタジエニル）（３−ｔｅｒｔ−ブチル−２−フェノキシ）メタンチタニウムジメトキシド、（η５−ｔｅｒｔ−ブチルシクロペンタジエニル）（３−ｔｅｒｔ−ブチル−５−メチル−２−フェノキシ）メタンチタニウムジメトキシド、（η５−ｔｅｒｔ−ブチルシクロペンタジエニル）（３−フェニル−２−フェノキシ）メタンチタニウムジメトキシド、（η５−ｔｅｒｔ−ブチルシクロペンタジエニル）（３−トリメチルシリル−５−メチル−２−フェノキシ）メタンチタニウムジメトキシド、（η５−ｔｅｒｔ−ブチルシクロペンタジエニル）（３−ｔｅｒｔ−ブチルジメチルシリル−５−メチル−２−フェノキシ）メタンチタニウムジメトキシド、（η５−ｔｅｒｔ−ブチルシクロペンタジエニル）（３−ｔｅｒｔ−ブチル−５−メトキシ−２−フェノキシ）メタンチタニウムジメトキシド、（η５−ｔｅｒｔ−ブチルシクロペンタジエニル）（３−ｔｅｒｔ−ブチル−５−クロロ−２−フェノキシ）メタンチタニウムジメトキシド
【００７３】
（η５−２，３，４，５−テトラメチルシクロペンタジエニル）（２−フェノキシ）メタンチタニウムジメトキシド、（η５−２，３，４，５−テトラメチルシクロペンタジエニル）（３，５−ジメチル−２−フェノキシ）メタンチタニウムジメトキシド、（η５−２，３，４，５−テトラメチルシクロペンタジエニル）（３−ｔｅｒｔ−ブチル−２−フェノキシ）メタンチタニウムジメトキシド、（η５−２，３，４，５−テトラメチルシクロペンタジエニル）（３−ｔｅｒｔ−ブチル−５−メチル−２−フェノキシ）メタンチタニウムジメトキシド、（η５−２，３，４，５−テトラメチルシクロペンタジエニル）（３−フェニル−２−フェノキシ）メタンチタニウムジメトキシド、（η５−２，３，４，５−テトラメチルシクロペンタジエニル）（３−トリメチルシリル−５−メチル−２−フェノキシ）メタンチタニウムジメトキシド、（η５−２，３，４，５−テトラメチルシクロペンタジエニル）（３−ｔｅｒｔ−ブチルジメチルシリル−５−メチル−２−フェノキシ）メタンチタニウムジメトキシド、（η５−２，３，４，５−テトラメチルシクロペンタジエニル）（３−ｔｅｒｔ−ブチル−５−メトキシ−２−フェノキシ）メタンチタニウムジメトキシド、（η５−２，３，４，５−テトラメチルシクロペンタジエニル）（３−ｔｅｒｔ−ブチル−５−クロロ−２−フェノキシ）メタンチタニウムジメトキシド
【００７４】
（η５−トリメチルシリルシクロペンタジエニル）（２−フェノキシ）メタンチタニウムジメトキシド、（η５−トリメチルシリルシクロペンタジエニル）（３，５−ジメチル−２−フェノキシ）メタンチタニウムジメトキシド、（η５−トリメチルシリルシクロペンタジエニル）（３−ｔｅｒｔ−ブチル−２−フェノキシ）メタンチタニウムジメトキシド、（η５−トリメチルシリルシクロペンタジエニル）（３−ｔｅｒｔ−ブチル−５−メチル−２−フェノキシ）メタンチタニウムジメトキシド、（η５−トリメチルシリルシクロペンタジエニル）（３−フェニル−２−フェノキシ）メタンチタニウムジメトキシド、（η５−トリメチルシリルシクロペンタジエニル）（３−トリメチルシリル−５−メチル−２−フェノキシ）メタンチタニウムジメトキシド、（η５−トリメチルシリルシクロペンタジエニル）（３−ｔｅｒｔ−ブチルジメチルシリル−５−メチル−２−フェノキシ）メタンチタニウムジメトキシド、（η５−トリメチルシリルシクロペンタジエニル）（３−ｔｅｒｔ−ブチル−５−メトキシ−２−フェノキシ）メタンチタニウムジメトキシド、（η５−トリメチルシリルシクロペンタジエニル）（３−ｔｅｒｔ−ブチル−５−クロロ−２−フェノキシ）メタンチタニウムジメトキシド
【００７５】
（η５−メチルシクロペンタジエニル）（２−フェノキシ）ジメチルメタンチタニウムジメトキシド、（η５−メチルシクロペンタジエニル）（３，５−ジメチル−２−フェノキシ）ジメチルメタンチタニウムジメトキシド、（η５−メチルシクロペンタジエニル）（３−ｔｅｒｔ−ブチル−２−フェノキシ）ジメチルメタンチタニウムジメトキシド、（η５−メチルシクロペンタジエニル）（３−ｔｅｒｔ−ブチル−５−メチル−２−フェノキシ）ジメチルメタンチタニウムジメトキシド、（η５−メチルシクロペンタジエニル）（３−フェニル−２−フェノキシ）ジメチルメタンチタニウムジメトキシド、（η５−メチルシクロペンタジエニル）（３−トリメチルシリル−５−メチル−２−フェノキシ）ジメチルメタンチタニウムジメトキシド、（η５−メチルシクロペンタジエニル）（３−ｔｅｒｔ−ブチルジメチルシリル−５−メチル−２−フェノキシ）ジメチルメタンチタニウムジメトキシド、（η５−メチルシクロペンタジエニル）（３−ｔｅｒｔ−ブチル−５−メトキシ−２−フェノキシ）ジメチルメタンチタニウムジメトキシド、（η５−メチルシクロペンタジエニル）（３−ｔｅｒｔ−ブチル−５−クロロ−２−フェノキシ）ジメチルメタンチタニウムジメトキシド
【００７６】
（η５−ｔｅｒｔ−ブチルシクロペンタジエニル）（２−フェノキシ）ジメチルメタンチタニウムジメトキシド、（η５−ｔｅｒｔ−ブチルシクロペンタジエニル）（３，５−ジメチル−２−フェノキシ）ジメチルメタンチタニウムジメトキシド、（η５−ｔｅｒｔ−ブチルシクロペンタジエニル）（３−ｔｅｒｔ−ブチル−２−フェノキシ）ジメチルメタンチタニウムジメトキシド、（η５−ｔｅｒｔ−ブチルシクロペンタジエニル）（３−ｔｅｒｔ−ブチル−５−メチル−２−フェノキシ）ジメチルメタンチタニウムジメトキシド、（η５−ｔｅｒｔ−ブチルシクロペンタジエニル）（３−フェニル−２−フェノキシ）ジメチルメタンチタニウムジメトキシド、（η５−ｔｅｒｔ−ブチルシクロペンタジエニル）（３−トリメチルシリル−５−メチル−２−フェノキシ）ジメチルメタンチタニウムジメトキシド、（η５−ｔｅｒｔ−ブチルシクロペンタジエニル）（３−ｔｅｒｔ−ブチルジメチルシリル−５−メチル−２−フェノキシ）ジメチルメタンチタニウムジメトキシド、（η５−ｔｅｒｔ−ブチルシクロペンタジエニル）（３−ｔｅｒｔ−ブチル−５−メトキシ−２−フェノキシ）ジメチルメタンチタニウムジメトキシド、（η５−ｔｅｒｔ−ブチルシクロペンタジエニル）（３−ｔｅｒｔ−ブチル−５−クロロ−２−フェノキシ）ジメチルメタンチタニウムジメトキシド
【００７７】
（η５−２，３，４，５−テトラメチルシクロペンタジエニル）（２−フェノキシ）ジメチルメタンチタニウムジメトキシド、（η５−２，３，４，５−テトラメチルシクロペンタジエニル）（３，５−ジメチル−２−フェノキシ）ジメチルメタンチタニウムジメトキシド、（η５−２，３，４，５−テトラメチルシクロペンタジエニル）（３−ｔｅｒｔ−ブチル−２−フェノキシ）ジメチルメタンチタニウムジメトキシド、（η５−２，３，４，５−テトラメチルシクロペンタジエニル）（３−ｔｅｒｔ−ブチル−５−メチル−２−フェノキシ）ジメチルメタンチタニウムジメトキシド、（η５−２，３，４，５−テトラメチルシクロペンタジエニル）（３−フェニル−２−フェノキシ）ジメチルメタンチタニウムジメトキシド、（η５−２，３，４，５−テトラメチルシクロペンタジエニル）（３−トリメチルシリル−５−メチル−２−フェノキシ）ジメチルメタンチタニウムジメトキシド、（η５−２，３，４，５−テトラメチルシクロペンタジエニル）（３−ｔｅｒｔ−ブチルジメチルシリル−５−メチル−２−フェノキシ）ジメチルメタンチタニウムジメトキシド、（η５−２，３，４，５−テトラメチルシクロペンタジエニル）（３−ｔｅｒｔ−ブチル−５−メトキシ−２−フェノキシ）ジメチルメタンチタニウムジメトキシド、（η５−２，３，４，５−テトラメチルシクロペンタジエニル）（３−ｔｅｒｔ−ブチル−５−クロロ−２−フェノキシ）ジメチルメタンチタニウムジメトキシド
【００７８】
（η５−トリメチルシリルシクロペンタジエニル）（２−フェノキシ）ジメチルメタンチタニウムジメトキシド、（η５−トリメチルシリルシクロペンタジエニル）（３，５−ジメチル−２−フェノキシ）ジメチルメタンチタニウムジメトキシド、（η５−トリメチルシリルシクロペンタジエニル）（３−ｔｅｒｔ−ブチル−２−フェノキシ）ジメチルメタンチタニウムジメトキシド、（η５−トリメチルシリルシクロペンタジエニル）（３−ｔｅｒｔ−ブチル−５−メチル−２−フェノキシ）ジメチルメタンチタニウムジメトキシド、（η５−トリメチルシリルシクロペンタジエニル）（３−フェニル−２−フェノキシ）ジメチルメタンチタニウムジメトキシド、（η５−トリメチルシリルシクロペンタジエニル）（３−トリメチルシリル−５−メチル−２−フェノキシ）ジメチルメタンチタニウムジメトキシド、（η５−トリメチルシリルシクロペンタジエニル）（３−ｔｅｒｔ−ブチルジメチルシリル−５−メチル−２−フェノキシ）ジメチルメタンチタニウムジメトキシド、（η５−トリメチルシリルシクロペンタジエニル）（３−ｔｅｒｔ−ブチル−５−メトキシ−２−フェノキシ）ジメチルメタンチタニウムジメトキシド、（η５−トリメチルシリルシクロペンタジエニル）（３−ｔｅｒｔ−ブチル−５−クロロ−２−フェノキシ）ジメチルメタンチタニウムジメトキシド
【００７９】
（η５−メチルシクロペンタジエニル）（２−フェノキシ）ジフェニルメタンチタニウムジメトキシド、（η５−メチルシクロペンタジエニル）（３，５−ジメチル−２−フェノキシ）ジフェニルメタンチタニウムジメトキシド、（η５−メチルシクロペンタジエニル）（３−ｔｅｒｔ−ブチル−２−フェノキシ）ジフェニルメタンチタニウムジメトキシド、（η５−メチルシクロペンタジエニル）（３−ｔｅｒｔ−ブチル−５−メチル−２−フェノキシ）ジフェニルメタンチタニウムジメトキシド、（η５−メチルシクロペンタジエニル）（３−フェニル−２−フェノキシ）ジフェニルメタンチタニウムジメトキシド、（η５−メチルシクロペンタジエニル）（３−トリメチルシリル−５−メチル−２−フェノキシ）ジフェニルメタンチタニウムジメトキシド、（η５−メチルシクロペンタジエニル）（３−ｔｅｒｔ−ブチルジメチルシリル−５−メチル−２−フェノキシ）ジフェニルメタンチタニウムジメトキシド、（η５−メチルシクロペンタジエニル）（３−ｔｅｒｔ−ブチル−５−メトキシ−２−フェノキシ）ジフェニルメタンチタニウムジメトキシド、（η５−メチルシクロペンタジエニル）（３−ｔｅｒｔ−ブチル−５−クロロ−２−フェノキシ）ジフェニルメタンチタニウムジメトキシド
【００８０】
（η５−ｔｅｒｔ−ブチルシクロペンタジエニル）（２−フェノキシ）ジフェニルメタンチタニウムジメトキシド、（η５−ｔｅｒｔ−ブチルシクロペンタジエニル）（３，５−ジメチル−２−フェノキシ）ジフェニルメタンチタニウムジメトキシド、（η−５−ｔｅｒｔ−ブチルシクロペンタジエニル）（３−ｔｅｒｔ−ブチル−２−フェノキシ）ジフェニルメタンチタニウムジメトキシド、（η−５−ｔｅｒｔ−ブチルシクロペンタジエニル）（３−ｔｅｒｔ−ブチル−５−メチル−２−フェノキシ）ジフェニルメタンチタニウムジメトキシド、（η−５−ｔｅｒｔ−ブチルシクロペンタジエニル）（３−フェニル−２−フェノキシ）ジフェニルメタンチタニウムジメトキシド、（η−５−ｔｅｒｔ−ブチルシクロペンタジエニル）（３−トリメチルシリル−５−メチル−２−フェノキシ）ジフェニルメタンチタニウムジメトキシド、（η−５−ｔｅｒｔ−ブチルシクロペンタジエニル）（３−ｔｅｒｔ−ブチルジメチルシリル−５−メチル−２−フェノキシ）ジフェニルメタンチタニウムジメトキシド、（η−５−ｔｅｒｔ−ブチルシクロペンタジエニル）（３−ｔｅｒｔ−ブチル−５−メトキシ−２−フェノキシ）ジフェニルメタンチタニウムジメトキシド、（η−５−ｔｅｒｔ−ブチルシクロペンタジエニル）（３−ｔｅｒｔ−ブチル−５−クロロ−２−フェノキシ）ジフェニルメタンチタニウムジメトキシド
【００８１】
（η５−２，３，４，５−テトラメチルシクロペンタジエニル）（２−フェノキシ）ジフェニルメタンチタニウムジメトキシド、（η５−２，３，４，５−テトラメチルシクロペンタジエニル）（３，５−ジメチル−２−フェノキシ）ジフェニルメタンチタニウムジメトキシド、（η５−２，３，４，５−テトラメチルシクロペンタジエニル）（３−ｔｅｒｔ−ブチル−２−フェノキシ）ジフェニルメタンチタニウムジメトキシド、（η５−２，３，４，５−テトラメチルシクロペンタジエニル）（３−ｔｅｒｔ−ブチル−５−メチル−２−フェノキシ）ジフェニルメタンチタニウムジメトキシド、（η５−２，３，４，５−テトラメチルシクロペンタジエニル）（３−フェニル−２−フェノキシ）ジフェニルメタンチタニウムジメトキシド、（η５−２，３，４，５−テトラメチルシクロペンタジエニル）（３−トリメチルシリル−５−メチル−２−フェノキシ）ジフェニルメタンチタニウムジメトキシド、（η５−２，３，４，５−テトラメチルシクロペンタジエニル）（３−ｔｅｒｔ−ブチルジメチルシリル−５−メチル−２−フェノキシ）ジフェニルメタンチタニウムジメトキシド、（η５−２，３，４，５−テトラメチルシクロペンタジエニル）（３−ｔｅｒｔ−ブチル−５−メトキシ−２−フェノキシ）ジフェニルメタンチタニウムジメトキシド、（η５−２，３，４，５−テトラメチルシクロペンタジエニル）（３−ｔｅｒｔ−ブチル−５−クロロ−２−フェノキシ）ジフェニルメタンチタニウムジメトキシド
【００８２】
（η５−トリメチルシリルシクロペンタジエニル）（２−フェノキシ）ジフェニルメタンチタニウムジメトキシド、（η５−トリメチルシリルシクロペンタジエニル）（３，５−ジメチル−２−フェノキシ）ジフェニルメタンチタニウムジメトキシド、（η５−トリメチルシリルシクロペンタジエニル）（３−ｔｅｒｔ−ブチル−２−フェノキシ）ジフェニルメタンチタニウムジメトキシド、（η５−トリメチルシリルシクロペンタジエニル）（３−ｔｅｒｔ−ブチル−５−メチル−２−フェノキシ）ジフェニルメタンチタニウムジメトキシド、（η５−トリメチルシリルシクロペンタジエニル）（３−フェニル−２−フェノキシ）ジフェニルメタンチタニウムジメトキシド、（η５−トリメチルシリルシクロペンタジエニル）（３−トリメチルシリル−５−メチル−２−フェノキシ）ジフェニルメタンチタニウムジメトキシド、（η５−トリメチルシリルシクロペンタジエニル）（３−ｔｅｒｔ−ブチルジメチルシリル−５−メチル−２−フェノキシ）ジフェニルメタンチタニウムジメトキシド、（η５−トリメチルシリルシクロペンタジエニル）（３−ｔｅｒｔ−ブチル−５−メトキシ−２−フェノキシ）ジフェニルメタンチタニウムジメトキシド、（η５−トリメチルシリルシクロペンタジエニル）（３−ｔｅｒｔ−ブチル−５−クロロ−２−フェノキシ）ジフェニルメタンチタニウムジメトキシド
【００８３】
および、これらの化合物のクロライドをブロマイド、アイオダイドに変更した化合物、メトキシドをエトキシド、ｎ−プロポキシド、イソプロポキシド、メトキシエトキシド、ベンジルオキシドに変更した化合物、シクロペンタジエニルをジメチルシクロペンタジエニル、トリメチルシクロペンタジエニル、ｎ−ブチルシクロペンタジエニル、ｔｅｒｔ−ブチルジメチルシリルシクロペンタジエニル、インデニル、フルオレニルに変更した化合物、２−フェノキシを３−メチル−２−フェノキシ、３，５−ジ−ｔｅｒｔ−ブチル−２−フェノキシ、３−フェニル−５−メチル−２−フェノキシ、３−ｔｅｒｔ−ブチルジメチルシリル−２−フェノキシ、３−トリメチルシリル−２−フェノキシに変更した化合物、メタンをジエチルメタンに変更した化合物等が挙げられる。
【００８４】
Ａがケイ素原子の場合、
（η５−シクロペンタジエニル）（２−フェノキシ）ジメチルシランチタニウムジクロライド、（η５−シクロペンタジエニル）（３，５−ジメチル−２−フェノキシ）ジメチルシランチタニウムジクロライド、（η５−シクロペンタジエニル）（３−ｔｅｒｔ−ブチル−２−フェノキシ）ジメチルシランチタニウムジクロライド、（η５−シクロペンタジエニル）（３−ｔｅｒｔ−ブチル−５−メチル−２−フェノキシ）ジメチルシランチタニウムジクロライド、（η５−シクロペンタジエニル）（３−フェニル−２−フェノキシ）ジメチルシランチタニウムジクロライド、（η５−シクロペンタジエニル）（３−トリメチルシリル−５−メチル−２−フェノキシ）ジメチルシランチタニウムジクロライド、（η５−シクロペンタジエニル）（３−ｔｅｒｔ−ブチルジメチルシリル−５−メチル−２−フェノキシ）ジメチルシランチタニウムジクロライド、（η５−シクロペンタジエニル）（３−ｔｅｒｔ−ブチル−５−メトキシ−２−フェノキシ）ジメチルシランチタニウムジクロライド、（η５−シクロペンタジエニル）（３−ｔｅｒｔ−ブチル−５−クロロ−２−フェノキシ）ジメチルシランチタニウムジクロライド
【００８５】
（η５−ｔｅｒｔ−ブチル−シクロペンタジエニル）（２−フェノキシ）ジメチルシランチタニウムジクロライド、（η５−ｔｅｒｔ−ブチル−シクロペンタジエニル）（３，５−ジメチル−２−フェノキシ）ジメチルシランチタニウムジクロライド、（η５−ｔｅｒｔ−ブチル−シクロペンタジエニル）（３−ｔｅｒｔ−ブチル−２−フェノキシ）ジメチルシランチタニウムジクロライド、（η５−ｔｅｒｔ−ブチル−シクロペンタジエニル）（３−ｔｅｒｔ−ブチル−５−メチル−２−フェノキシ）ジメチルシランチタニウムジクロライド、（η５−ｔｅｒｔ−ブチル−シクロペンタジエニル）（３−フェニル−２−フェノキシ）ジメチルシランチタニウムジクロライド、（η５−ｔｅｒｔ−ブチル−シクロペンタジエニル）（３−トリメチルシリル−５−メチル−２−フェノキシ）ジメチルシランチタニウムジクロライド、（η５−ｔｅｒｔ−ブチル−シクロペンタジエニル）（３−ｔｅｒｔ−ブチルジメチルシリル−５−メチル−２−フェノキシ）ジメチルシランチタニウムジクロライド、（η５−ｔｅｒｔ−ブチル−シクロペンタジエニル）（３−ｔｅｒｔ−ブチル−５−メトキシ−２−フェノキシ）ジメチルシランチタニウムジクロライド、（η５−ｔｅｒｔ−ブチル−シクロペンタジエニル）（３−ｔｅｒｔ−ブチル−５−クロロ−２−フェノキシ）ジメチルシランチタニウムジクロライド
【００８６】
（η５−２，３，４，５−テトラメチルシクロペンタジエニル）（２−フェノキシ）ジメチルシランチタニウムジクロライド、（η５−２，３，４，５−テトラメチルシクロペンタジエニル）（３，５−ジメチル−２−フェノキシ）ジメチルシランチタニウムジクロライド、（η５−２，３，４，５−テトラメチルシクロペンタジエニル）（３−ｔｅｒｔ−ブチル−２−フェノキシ）ジメチルシランチタニウムジクロライド、（η５−２，３，４，５−テトラメチルシクロペンタジエニル）（３−ｔｅｒｔ−ブチル−５−メチル−２−フェノキシ）ジメチルシランチタニウムジクロライド、（η５−２，３，４，５−テトラメチルシクロペンタジエニル）（３−フェニル−２−フェノキシ）ジメチルシランチタニウムジクロライド、（η５−２，３，４，５−テトラメチルシクロペンタジエニル）（３−トリメチルシリル−５−メチル−２−フェノキシ）ジメチルシランチタニウムジクロライド、（η５−２，３，４，５−テトラメチルシクロペンタジエニル）（３−ｔｅｒｔ−ブチルジメチルシリル−５−メチル−２−フェノキシ）ジメチルシランチタニウムジクロライド、（η５−２，３，４，５−テトラメチルシクロペンタジエニル）（３−ｔｅｒｔ−ブチル−５−メトキシ−２−フェノキシ）ジメチルシランチタニウムジクロライド、（η５−２，３，４，５−テトラメチルシクロペンタジエニル）（３−ｔｅｒｔ−ブチル−５−クロロ−２−フェノキシ）ジメチルシランチタニウムジクロライド
【００８７】
（η５−インデニル）（２−フェノキシ）ジメチルシランチタニウムジクロライド、（η５−インデニル）（３，５−ジメチル−２−フェノキシ）ジメチルシランチタニウムジクロライド、（η５−インデニル）（３−ｔｅｒｔ−ブチル−２−フェノキシ）ジメチルシランチタニウムジクロライド、（η５−インデニル）（３−ｔｅｒｔ−ブチル−５−メチル−２−フェノキシ）ジメチルシランチタニウムジクロライド、（η５−インデニル）（３−フェニル−２−フェノキシ）ジメチルシランチタニウムジクロライド、（η５−インデニル）（３−トリメチルシリル−５−メチル−２−フェノキシ）ジメチルシランチタニウムジクロライド、（η５−インデニル）（３−ｔｅｒｔ−ブチルジメチルシリル−５−メチル−２−フェノキシ）ジメチルシランチタニウムジクロライド、（η５−インデニル）（３−ｔｅｒｔ−ブチル−５−メトキシ−２−フェノキシ）ジメチルシランチタニウムジクロライド、（η５−インデニル）（３−ｔｅｒｔ−ブチル−５−クロロ−２−フェノキシ）ジメチルシランチタニウムジクロライド
【００８８】
（η５−フルオレニル）（２−フェノキシ）ジメチルシランチタニウムジクロライド、（η５−フルオレニル）（３，５−ジメチル−２−フェノキシ）ジメチルシランチタニウムジクロライド、（η５−フルオレニル）（３−ｔｅｒｔ−ブチル−２−フェノキシ）ジメチルシランチタニウムジクロライド、（η５−フルオレニル）（３−ｔｅｒｔ−ブチル−５−メチル−２−フェノキシ）ジメチルシランチタニウムジクロライド、（η５−フルオレニル）（３−フェニル−２−フェノキシ）ジメチルシランチタニウムジクロライド、（η５−フルオレニル）（３−トリメチルシリル−５−メチル−２−フェノキシ）ジメチルシランチタニウムジクロライド、（η５−フルオレニル）（３−ｔｅｒｔ−ブチルジメチルシリル−５−メチル−２−フェノキシ）ジメチルシランチタニウムジクロライド、（η５−フルオレニル）（３−ｔｅｒｔ−ブチル−５−メトキシ−２−フェノキシ）ジメチルシランチタニウムジクロライド、（η５−フルオレニル）（３−ｔｅｒｔ−ブチル−５−クロロ−２−フェノキシ）ジメチルシランチタニウムジクロライド
【００８９】
（η５−シクロペンタジエニル）（２−フェノキシ）ジフェニルシランチタニウムジクロライド、（η５−シクロペンタジエニル）（３，５−ジメチル−２−フェノキシ）ジフェニルシランチタニウムジクロライド、（η５−シクロペンタジエニル）（３−ｔｅｒｔ−ブチル−２−フェノキシ）ジフェニルシランチタニウムジクロライド、（η５−シクロペンタジエニル）（３−ｔｅｒｔ−ブチル−５−メチル−２−フェノキシ）ジフェニルシランチタニウムジクロライド、（η５−シクロペンタジエニル）（３−フェニル−２−フェノキシ）ジフェニルシランチタニウムジクロライド、（η５−シクロペンタジエニル）（３−トリメチルシリル−５−メチル−２−フェノキシ）ジフェニルシランチタニウムジクロライド、（η５−シクロペンタジエニル）（３−ｔｅｒｔ−ブチルジメチルシリル−５−メチル−２−フェノキシ）ジフェニルシランチタニウムジクロライド、（η５−シクロペンタジエニル）（３−ｔｅｒｔ−ブチル−５−メトキシ−２−フェノキシ）ジフェニルシランチタニウムジクロライド、（η５−シクロペンタジエニル）（３−ｔｅｒｔ−ブチル−５−クロロ−２−フェノキシ）ジフェニルシランチタニウムジクロライド
【００９０】
（η５−シクロペンタジエニル）（２−フェノキシ）ジメチルシランチタニウムジメトキシド、（η５−シクロペンタジエニル）（３，５−ジメチル−２−フェノキシ）ジメチルシランチタニウムジメトキシド、（η５−シクロペンタジエニル）（３−ｔｅｒｔ−ブチル−２−フェノキシ）ジメチルシランチタニウムジメトキシド、（η５−シクロペンタジエニル）（３−ｔｅｒｔ−ブチル−５−メチル−２−フェノキシ）ジメチルシランチタニウムジメトキシド、（η５−シクロペンタジエニル）（３−フェニル−２−フェノキシ）ジメチルシランチタニウムジメトキシド、（η５−シクロペンタジエニル）（３−トリメチルシリル−５−メチル−２−フェノキシ）ジメチルシランチタニウムジメトキシド、（η５−シクロペンタジエニル）（３−ｔｅｒｔ−ブチルジメチルシリル−５−メチル−２−フェノキシ）ジメチルシランチタニウムジメトキシド、（η５−シクロペンタジエニル）（３−ｔｅｒｔ−ブチル−５−メトキシ−２−フェノキシ）ジメチルシランチタニウムジメトキシド、（η５−シクロペンタジエニル）（３−ｔｅｒｔ−ブチル−５−クロロ−２−フェノキシ）ジメチルシランチタニウムジメトキシド
【００９１】
（η５−ｔｅｒｔ−ブチルシクロペンタジエニル）（２−フェノキシ）ジメチルシランチタニウムジメトキシド、（η５−ｔｅｒｔ−ブチルシクロペンタジエニル）（３，５−ジメチル−２−フェノキシ）ジメチルシランチタニウムジメトキシド、（η−５−ｔｅｒｔ−ブチルシクロペンタジエニル）（３−ｔｅｒｔ−ブチル−２−フェノキシ）ジメチルシランチタニウムジメトキシド、（η５−ｔｅｒｔ−ブチルシクロペンタジエニル）（３−ｔｅｒｔ−ブチル−５−メチル−２−フェノキシ）ジメチルシランチタニウムジメトキシド、（η５−ｔｅｒｔ−ブチルシクロペンタジエニル）（３−フェニル−２−フェノキシ）ジメチルシランチタニウムジメトキシド、（η５−ｔｅｒｔ−ブチルシクロペンタジエニル）（３−トリメチルシリル−５−メチル−２−フェノキシ）ジメチルシランチタニウムジメトキシド、（η５−ｔｅｒｔ−ブチルシクロペンタジエニル）（３−ｔｅｒｔ−ブチルジメチルシリル−５−メチル−２−フェノキシ）ジメチルシランチタニウムジメトキシド、（η５−ｔｅｒｔ−ブチルシクロペンタジエニル）（３−ｔｅｒｔ−ブチル−５−メトキシ−２−フェノキシ）ジメチルシランチタニウムジメトキシド、（η５−ｔｅｒｔ−ブチルシクロペンタジエニル）（３−ｔｅｒｔ−ブチル−５−クロロ−２−フェノキシ）ジメチルシランチタニウムジメトキシド
【００９２】
（η５−２，３，４，５−テトラメチルシクロペンタジエニル）（２−フェノキシ）ジメチルシランチタニウムジメトキシド、（η５−２，３，４，５−テトラメチルシクロペンタジエニル）（３，５−ジメチル−２−フェノキシ）ジメチルシランチタニウムジメトキシド、（η５−２，３，４，５−テトラメチルシクロペンタジエニル）（３−ｔｅｒｔ−ブチル−２−フェノキシ）ジメチルシランチタニウムジメトキシド、（η５−２，３，４，５−テトラメチルシクロペンタジエニル）（３−ｔｅｒｔ−ブチル−５−メチル−２−フェノキシ）ジメチルシランチタニウムジメトキシド、（η５−２，３，４，５−テトラメチルシクロペンタジエニル）（３−フェニル−２−フェノキシ）ジメチルシランチタニウムジメトキシド、（η５−２，３，４，５−テトラメチルシクロペンタジエニル）（３−トリメチルシリル−５−メチル−２−フェノキシ）ジメチルシランチタニウムジメトキシド、（η５−２，３，４，５−テトラメチルシクロペンタジエニル）（３−ｔｅｒｔ−ブチルジメチルシリル−５−メチル−２−フェノキシ）ジメチルシランチタニウムジメトキシド、（η５−２，３，４，５−テトラメチルシクロペンタジエニル）（３−ｔｅｒｔ−ブチル−５−メトキシ−２−フェノキシ）ジメチルシランチタニウムジメトキシド、（η５−２，３，４，５−テトラメチルシクロペンタジエニル）（３−ｔｅｒｔ−ブチル−５−クロロ−２−フェノキシ）ジメチルシランチタニウムジメトキシド
【００９３】
（η５−インデニル）（２−フェノキシ）ジメチルシランチタニウムジメトキシド、（η５−インデニル）（３，５−ジメチル−２−フェノキシ）ジメチルシランチタニウムジメトキシド、（η５−インデニル）（３−ｔｅｒｔ−ブチル−２−フェノキシ）ジメチルシランチタニウムジメトキシド、（η５−インデニル）（３−ｔｅｒｔ−ブチル−５−メチル−２−フェノキシ）ジメチルシランチタニウムジメトキシド、（η５−インデニル）（３−フェニル−２−フェノキシ）ジメチルシランチタニウムジメトキシド、（η５−インデニル）（３−トリメチルシリル−５−メチル−２−フェノキシ）ジメチルシランチタニウムジメトキシド、（η５−インデニル）（３−ｔｅｒｔ−ブチルジメチルシリル−５−メチル−２−フェノキシ）ジメチルシランチタニウムジメトキシド、（η５−インデニル）（３−ｔｅｒｔ−ブチル−５−メトキシ−２−フェノキシ）ジメチルシランチタニウムジメトキシド、（η５−インデニル）（３−ｔｅｒｔ−ブチル−５−クロロ−２−フェノキシ）ジメチルシランチタニウムジメトキシド
【００９４】
（η５−フルオレニル）（２−フェノキシ）ジメチルシランチタニウムジメトキシド、（η５−フルオレニル）（３，５−ジメチル−２−フェノキシ）ジメチルシランチタニウムジメトキシド、（η５−フルオレニル）（３−ｔｅｒｔ−ブチル−２−フェノキシ）ジメチルシランチタニウムジメトキシド、（η５−フルオレニル）（３−ｔｅｒｔ−ブチル−５−メチル−２−フェノキシ）ジメチルシランチタニウムジメトキシド、（η５−フルオレニル）（３−フェニル−２−フェノキシ）ジメチルシランチタニウムジメトキシド、（η５−フルオレニル）（３−トリメチルシリル−５−メチル−２−フェノキシ）ジメチルシランチタニウムジメトキシド、（η５−フルオレニル）（３−ｔｅｒｔ−ブチルジメチルシリル−５−メチル−２−フェノキシ）ジメチルシランチタニウムジメトキシド、（η５−フルオレニル）（３−ｔｅｒｔ−ブチル−５−メトキシ−２−フェノキシ）ジメチルシランチタニウムジメトキシド、（η５−フルオレニル）（３−ｔｅｒｔ−ブチル−５−クロロ−２−フェノキシ）ジメチルシランチタニウムジメトキシド
【００９５】
（η５−シクロペンタジエニル）（２−フェノキシ）ジフェニルシランチタニウムジメトキシド、（η５−シクロペンタジエニル）（３，５−ジメチル−２−フェノキシ）ジフェニルシランチタニウムジメトキシド、（η５−シクロペンタジエニル）（３−ｔｅｒｔ−ブチル−２−フェノキシ）ジフェニルシランチタニウムジメトキシド、（η５−シクロペンタジエニル）（３−ｔｅｒｔ−ブチル−５−メチル−２−フェノキシ）ジフェニルシランチタニウムジメトキシド、（η５−シクロペンタジエニル）（３−フェニル−２−フェノキシ）ジフェニルシランチタニウムジメトキシド、（η５−シクロペンタジエニル）（３−トリメチルシリル−５−メチル−２−フェノキシ）ジフェニルシランチタニウムジメトキシド、（η５−シクロペンタジエニル）（３−ｔｅｒｔ−ブチルジメチルシリル−５−メチル−２−フェノキシ）ジフェニルシランチタニウムジメトキシド、（η５−シクロペンタジエニル）（３−ｔｅｒｔ−ブチル−５−メトキシ−２−フェノキシ）ジフェニルシランチタニウムジメトキシド、（η５−シクロペンタジエニル）（３−ｔｅｒｔ−ブチル−５−クロロ−２−フェノキシ）ジフェニルシランチタニウムジメトキシド
【００９６】
（η５−ｔｅｒｔ−ブチルシクロペンタジエニル）（２−フェノキシ）ジフェニルシランチタニウムジメトキシド、（η５−ｔｅｒｔ−ブチルシクロペンタジエニル）（３，５−ジメチル−２−フェノキシ）ジフェニルシランチタニウムジメトキシド、（η５−ｔｅｒｔ−ブチルシクロペンタジエニル）（３−ｔｅｒｔ−ブチル−２−フェノキシ）ジフェニルシランチタニウムジメトキシド、（η５−ｔｅｒｔ−ブチルシクロペンタジエニル）（３−ｔｅｒｔ−ブチル−５−メチル−２−フェノキシ）ジフェニルシランチタニウムジメトキシド、（η５−ｔｅｒｔ−ブチルシクロペンタジエニル）（３−フェニル−２−フェノキシ）ジフェニルシランチタニウムジメトキシド、（η５−ｔｅｒｔ−ブチルシクロペンタジエニル）（３−トリメチルシリル−５−メチル−２−フェノキシ）ジフェニルシランチタニウムジメトキシド、（η５−ｔｅｒｔ−ブチルシクロペンタジエニル）（３−ｔｅｒｔ−ブチルジメチルシリル−５−メチル−２−フェノキシ）ジフェニルシランチタニウムジメトキシド、（η５−ｔｅｒｔ−ブチルシクロペンタジエニル）（３−ｔｅｒｔ−ブチル−５−メトキシ−２−フェノキシ）ジフェニルシランチタニウムジメトキシド、（η５−ｔｅｒｔ−ブチルシクロペンタジエニル）（３−ｔｅｒｔ−ブチル−５−クロロ−２−フェノキシ）ジフェニルシランチタニウムジメトキシド
【００９７】
（η５−２，３，４，５−テトラメチルシクロペンタジエニル）（２−フェノキシ）ジフェニルシランチタニウムジメトキシド、（η５−２，３，４，５−テトラメチルシクロペンタジエニル）（３，５−ジメチル−２−フェノキシ）ジフェニルシランチタニウムジメトキシド、（η５−２，３，４，５−テトラメチルシクロペンタジエニル）（３−ｔｅｒｔ−ブチル−２−フェノキシ）ジフェニルシランチタニウムジメトキシド、（η５−２，３，４，５−テトラメチルシクロペンタジエニル）（３−ｔｅｒｔ−ブチル−５−メチル−２−フェノキシ）ジフェニルシランチタニウムジメトキシド、（η５−２，３，４，５−テトラメチルシクロペンタジエニル）（３−フェニル−２−フェノキシ）ジフェニルシランチタニウムジメトキシド、（η５−２，３，４，５−テトラメチルシクロペンタジエニル）（３−トリメチルシリル−５−メチル−２−フェノキシ）ジフェニルシランチタニウムジメトキシド、（η５−２，３，４，５−テトラメチルシクロペンタジエニル）（３−ｔｅｒｔ−ブチルジメチルシリル−５−メチル−２−フェノキシ）ジフェニルシランチタニウムジメトキシド、（η５−２，３，４，５−テトラメチルシクロペンタジエニル）（３−ｔｅｒｔ−ブチル−５−メトキシ−２−フェノキシ）ジフェニルシランチタニウムジメトキシド、（η５−２，３，４，５−テトラメチルシクロペンタジエニル）（３−ｔｅｒｔ−ブチル−５−クロロ−２−フェノキシ）ジフェニルシランチタニウムジメトキシド
【００９８】
（η５−インデニル）（２−フェノキシ）ジフェニルシランチタニウムジメトキシド、（η５−インデニル）（３，５−ジメチル−２−フェノキシ）ジフェニルシランチタニウムジメトキシド、（η５−インデニル）（３−ｔｅｒｔ−ブチル−２−フェノキシ）ジフェニルシランチタニウムジメトキシド、（η５−インデニル）（３−ｔｅｒｔ−ブチル−５−メチル−２−フェノキシ）ジフェニルシランチタニウムジメトキシド、（η５−インデニル）（３−フェニル−２−フェノキシ）ジフェニルシランチタニウムジメトキシド、（η５−インデニル）（３−トリメチルシリル−５−メチル−２−フェノキシ）ジフェニルシランチタニウムジメトキシド、（η５−インデニル）（３−ｔｅｒｔ−ブチルジメチルシリル−５−メチル−２−フェノキシ）ジフェニルシランチタニウムジメトキシド、（η５−インデニル）（３−ｔｅｒｔ−ブチル−５−メトキシ−２−フェノキシ）ジフェニルシランチタニウムジメトキシド、（η５−インデニル）（３−ｔｅｒｔ−ブチル−５−クロロ−２−フェノキシ）ジフェニルシランチタニウムジメトキシド
【００９９】
（η５−フルオレニル）（２−フェノキシ）ジフェニルシランチタニウムジメトキシド、（η５−フルオレニル）（３，５−ジメチル−２−フェノキシ）ジフェニルシランチタニウムジメトキシド、（η５−フルオレニル）（３−ｔｅｒｔ−ブチル−２−フェノキシ）ジフェニルシランチタニウムジメトキシド、（η５−フルオレニル）（３−ｔｅｒｔ−ブチル−５−メチル−２−フェノキシ）ジフェニルシランチタニウムジメトキシド、（η５−フルオレニル）（３−フェニル−２−フェノキシ）ジフェニルシランチタニウムジメトキシド、（η５−フルオレニル）（３−トリメチルシリル−５−メチル−２−フェノキシ）ジフェニルシランチタニウムジメトキシド、（η５−フルオレニル）（３−ｔｅｒｔ−ブチルジメチルシリル−５−メチル−２−フェノキシ）ジフェニルシランチタニウムジメトキシド、（η５−フルオレニル）（３−ｔｅｒｔ−ブチル−５−メトキシ−２−フェノキシ）ジフェニルシランチタニウムジメトキシド、（η５−フルオレニル）（３−ｔｅｒｔ−ブチル−５−クロロ−２−フェノキシ）ジフェニルシランチタニウムジメトキシド
【０１００】
および、これらの化合物のジメチルシランをジエチルシラン、ジメトキシシランに変更した化合物、シクロペンタジエニルをジメチルシクロペンタジエニル、トリメチルシクロペンタジエニル、エチルシクロペンタジエニル、ｎ−プロピルシクロペンタジエニル、イソプロピルシクロペンタジエニル、 ｎ−ブチルシクロペンタジエニル、ｓｅｃ−ブチルシクロペンタジエニル、イソブチルシクロペンタジエニル、ｔｅｒｔ−ブチルジメチルシリルシクロペンタジエニル、フェニルシクロペンタジエニル、メチルインデニル、フェニルインデニルに変更した化合物、２−フェノキシを３−フェニル−２−フェノキシ、３−トリメチルシリル−２−フェノキシ、３−ｔｅｒｔ−ブチルジメチルシリル−２−フェノキシに変更した化合物、クロライドをブロマイド、アイオダイドに変更した化合物、メトキシドをエトキシド、ｎ−プロポキシド、イソプロポキシド、メトキシエトキシド、ベンジルオキシドに変更した化合物等が挙げられる。
【０１０１】
本発明のμ−オキソチタン錯体（１）の製造方法は、チタン錯体（２）と水とを反応させるものであるが、アミン化合物を共存させることでさらに反応効率が向上する。
【０１０２】
アミン化合物としては、一般式（３）
Ｑ１−（Ｑ２−）Ｎ−Ｑ３        （３）
（式中、Ｑ１、Ｑ２、Ｑ３は同一又は相異なり、水素原子、炭素原子数１〜８のアルキル基、炭素原子数３〜８のシクロアルキル基を示すか、または、ハロゲン原子、炭素原子数１〜４のアルキル基、炭素原子数１〜４のアルコキシ基、カルボキシル基、炭素原子数１〜４のアルコキシカルボニル基、ニトロ基、アミノ基、フェニル基、ナフチル基、ベンジル基よりなる群から選ばれる少なくとも一つの置換基でそれぞれ置換されていてもよいフェニル基、ナフチル基、ベンジル基、ナフチルメチル基、ピリジル基を示すかあるいは、
Ｑ１とＱ２は、互いに末端で結合して環状の基を示し、少なくとも一つの炭素原子数１〜３のアルキル基で置換されていてもよい炭素原子数４〜５のアルキレン基、（-ＣＨ2ＣＨ2）2−Ｏ基あるいは（-ＣＨ2ＣＨ2）2Ｎ−Ｑ４基（式中、Ｑ４はＱ３と同じ意味を有し、同一または異なる基を示す。）を示し、Ｑ３はさらにエチレン基または−（ＣＨ2)3Ｎ＝基を示してＱ１、Ｑ２の形成する環と結合して縮合環を形成していてもよい。
但し、Ｑ１、Ｑ２、Ｑ３は同時に水素原子を示すことはない。）
で示される化合物が挙げられる。
【０１０３】
具体例なアミン化合物（３）としては、例えば、アニリン、クロロアニリン、ブロモアニリン、ハロアニリン、ジクロロアニリン、ジブロモアニリン、ジハロアニリン、トリクロロアニリン、トリブロモアニリン、トリハロアニリン、テトラクロロアニリン、テトラブロモアニリン、テトラハロアニリン、ペンタクロロアニリン、ペンタブロモアニリン、ペンタハロアニリン、ニトロアニリン、ジニトロアニリン、ヒドロキシアニリン、フェニレンジアミン、アニシジン、ジメトキシアニリン、トリメトキシアニリン、エトキシアニリン、ジエトキシアニリン、トリエトキシアニリン、ｎ−プロポキシアニリン、イソプロポキシアニリン、ｎ−ブトキシアニリン、ｓｅｃ−ブトキシアニリン、イソブトキシアニリン、ｔｅｒｔ−ブトキシアニリン、フェノキシアニリン、メチルアニリン、エチルアニリン、ｎ−プロピルアニリン、イソプロピルアニリン、ｎ−ブチルアニリン、ｓｅｃ−ブチルアニリン、イソブチルアニリン、ｔｅｒｔ−ブチルアニリン、ジメチルアニリン、ジエチルアニリン、ジ−ｎ−プロピルアニリン、ジイソプロピルアニリン、ジ−ｎ−ブチルアニリン、 ジ−ｓｅｃ−ブチルアニリン、ジイソブチルアニリン、ジ−ｔｅｒｔ−ブチルアニリン、トリメチルアニリン、トリエチルアニリン、トリイソプロピルアニリン、フェニルアニリン、ベンジルアニリン、アミノ安息香酸、アミノ安息香酸メチルエステル、アミノ安息香酸エチルエステル、アミノ安息香酸−ｎ−プロピルエステル、アミノ安息香酸イソプロピルエステル、アミノ安息香酸−ｎ−ブチルエステル、アミノ安息香酸イソブチルエステル、アミノ安息香酸−ｓｅｃ−ブチルエステル、アミノ安息香酸−ｔｅｒｔ−ブチルエステル、等の１級アニリン類、さらにナフチルアニリン、ナフチルメチルアニリン、ベンジルアミン、プロピルアミン、ブチルアミン、ペンチルアミン、ヘキシルアミン、シクロヘキシルアミン、ヘプチルアミン、オクチルアミン、２−アミノピリジン、３−アミノピリジン、４−アミノピリジン等も含む１級アミン、
【０１０４】
Ｎ−メチルアニリン、Ｎ−エチルアニリン、ジフェニルアミン、 Ｎ−メチルクロロアニリン、 Ｎ−メチルブロモアニリン、Ｎ−メチルハロアニリン、Ｎ−メチルアニシジン、Ｎ−メチルメチルアニリン、Ｎ−メチルエチルアニリン、Ｎ−メチル−ｎ−プロピルアニリン、Ｎ−メチルイソプロピルアニリン、ジエチルアミン、ジ−ｎ−プロピルアミン、ジイソプロピルアミン、ジペンチルアミン、ジヘキシルアミン、ジシクロヘキシルアミン、ジヘプチルアミン、ジオクチルアミン、モルホリン、ピペリジン、２,２，６，６−テトラメチルピペリジン、ピロリジン、２−メチルアミノピリジン、３−メチルアミノピリジン、４−メチルアミノピリジン、等の２級アミン、
【０１０５】
Ｎ，Ｎ−ジメチルアニリン、Ｎ，Ｎ−ジメチルクロロアニリン、Ｎ，Ｎ−ジメチルブロモアニリン、Ｎ，Ｎ−ジメチルハロアニリン、Ｎ，Ｎ−ジメチルアニシジン、Ｎ，Ｎ−ジメチルメチルアニリン、 Ｎ，Ｎ−ジメチルエチルアニリン、、 Ｎ，Ｎ−ジメチル−ｎ−プロピルアニリン、 Ｎ，Ｎ−ジメチルイソプロピルアニリン、１，４−ジアザビシクロ[２，２，２]オクタン、１，５−ジアザビシクロ［４，３，０］ノナ−５−エン、１，８−ジアザビシクロ［５，４，０］ウンデカ−７−エン、２−ジメチルアミノピリジン、３−ジメチルアミノピリジン、４−ジメチルアミノピリジン、等の３級アミンが挙げられる。
【０１０６】
かかるアミン化合物（３）の使用量は、チタン錯体（２）に対して、通常、０〜１０モル倍、好ましくは０．５〜１モル倍の範囲である。
【０１０７】
反応には溶媒を用いてもよく、かかる溶媒としては、例えば、ペンタン、ヘキサン、シクロヘキサン、ヘプタン、オクタン等の脂肪族炭化水素、ベンゼン、トルエン、キシレン、メシチレン、エチルベンゼン等の芳香族炭化水素、又はクロロホルム、メチレンジメトキシド、モノクロロベンゼン、ジクロロベンゼン等のハロゲン化炭化水素、アセトン、ジエチルエーテル、テトラヒドロフラン、酢酸エチル、Ｎ，Ｎ−ジメチルスルフォキシド、ジメチルスルフォキシド等の極性溶媒類等を例示することができ、また、無溶媒でも実施することができる。これらの溶媒はそれぞれ単独もしくは２種以上を混合して用いられ、その使用量はチタン錯体（２）に対して通常、０〜２００重量倍、好ましくは３〜３０重量倍の範囲である。
【０１０８】
水の使用量は、チタン錯体（２）に対して通常、０．５〜１００モル倍、好ましくは０．５〜１モル倍の範囲である。
【０１０９】
反応に際しては、チタン錯体（２）と水、あるいは水を含んだ空気または不活性ガスを接触させればよく、順序については特に制限されることはない。またアミン化合物を共存させることによりさらに効率よくμ−オキソチタン錯体（１）を製造することができる。反応温度は通常、０℃〜溶媒の沸点であり、好ましくは０℃〜５０℃である。反応時間は特に制限されることはない。
反応終了後、例えば、そのまま、または不溶物をろ過後、濃縮して得られる結晶をろ取することにより、目的とするμ−オキソチタン錯体（１）を得ることができる。
【０１１０】
【発明の効果】
本発明により、ルイス酸触媒、エステル交換反応触媒として有望な、μ−オキソチタン錯体の工業的有利な製造方法を提供することができる。
【０１１１】
【実施例】
以下、実施例によって本発明をさらに詳細に説明するが、本発明はこれらに限定されるものではない。
【０１１２】
実施例１
μ−オキソビス｛（η−５−２，３，４，５−テトラメチルシクロペンタジエニル）(3-tert-ブチル-5-メチル-2-フェノキシ)ジメチルシランチタニウムクロライド｝の合成
0003855472.tif 000004
窒素雰囲気下、（テトラメチルシクロペンタジエニル）(3-tert-ブチル-5-メチル-2-フェノキシ)ジメチルシランチタニウムジクロライド２８０ｍｇを塩化メチレン５ｍｌに溶かし、続いてアニリン６１．０ｍｇを加えた。この溶液に２５℃で、蒸留水１５．０ｍｇを加え同温度で、１５分間撹拌した。その後、５℃に冷却し３時間保持した。次に、析出した白色の固体をろ過して除き、ろ液を減圧濃縮した後、得られた固体をペンタン２．０ｍｌで洗浄した後、減圧下で乾燥することにより目的物である標記化合物をオレンジ色の固体として得た(０．２５２ｇ、９６％ｙｉｅｌｄ)。
マススペクトル（ ｍ／ｅ）８６２、８６３  計算値：８６３．８２
1Ｈ−ＮＭＲ（ＣＤＣｌ３） δ ６．９８（ｄ，Ｊ＝１．９７Ｈｚ，２Ｈ）、６．９２（ｄ，Ｊ＝１．９７Ｈｚ，２Ｈ）、２．３８（ｓ，６Ｈ）、２．２８（ｓ，６Ｈ）、２．２６（ｓ，６Ｈ）、２．１８（ｓ，６Ｈ）、１．６９（ｓ，６Ｈ）、０．９２（ｓ，１８Ｈ）、０．５５（ｓ，６Ｈ）、０．４９（ｓ，６Ｈ）
【０１１３】
実施例２
μ−オキソビス｛（η−５−２，３，４，５−テトラメチルシクロペンタジエニル）(3-tert-ブチル-5-メチル-2-フェノキシ)ジメチルシランチタニウムメトキシド｝の合成
窒素雰囲気下、２５℃で（η−５−２，３，４，５−テトラメチルシクロペンタジエニル）(3-tert-ブチル-5-メチル-2-フェノキシ)ジメチルシランチタニウムジメトキシド１０．００ｇをヘプタン５０ｍｌに溶かし、蒸留水０．３０ｇを加え同温度で、１２時間攪拌した。生成する固体をろ別し、ヘプタン５．０ｍｌで洗浄した後、減圧下で乾燥することにより目的化合物である標記化合物を黄色の固体として得た(５．５１ｇ、５６％)。
マススペクトル（ ｍ／ｅ）８５５  計算値：８５５
1Ｈ−ＮＭＲ（Ｃ６Ｄ６） δ ７．２５（ｄ，Ｊ＝２．０ Ｈｚ，２Ｈ）、７．１６（ｄ，Ｊ＝２．０ Ｈｚ，２Ｈ）、３．９９（ｓ，６Ｈ）、２．３２（ｓ，６Ｈ）、２．３０（ｓ，６Ｈ）、２．０６（ｓ，６Ｈ）、１．８６（ｓ，６Ｈ）、１．７１（ｓ，６Ｈ）、１．２７（ｓ，１８Ｈ）、０．８３（ｓ，６Ｈ）、０．６３（ｓ，６Ｈ）